(57)【要約】  本願は、マルチチャネルベースの信号送信の方法および装置を提供する。方法は、低次変調シンボルのＮ個のグループを組み合わせて高次変調シンボルのＮ個のグループにする段階であって、高次変調シンボルの各グループにおけるｉ番目の高次変調シンボルは、上記低次変調シンボルのＮ個のグループの全てにおけるｉ番目の低次変調シンボルを組み合わせることにより取得され、低次変調シンボルの各グループは、Ｍ個の低次変調シンボルｉ＝１，  ２，  …，  Ｍを含み、Ｎは１よりも大きい正の整数であり、Ｍは１よりも大きい正の整数である、段階と、上記高次変調シンボルのＮ個のグループに基づいてＮ個の送信予定の信号を決定する段階と、Ｎ個のチャネルにおけるｋ番目のチャネルを用いることにより、上記Ｎ個の送信予定の信号におけるｋ番目の送信予定の信号を送信する段階であって、ｋ＝１，  ２，  …，  Ｎである、段階とを含む。このように、信号ダイバーシティ送信が実行され得、信号送信の信頼性が改善され得る。
2019526198.tif 000002
【特許請求の範囲】
【請求項１】
マルチチャネルベースの信号送信の方法であって、
低次変調シンボルのＮ個のグループを組み合わせて高次変調シンボルのＮ個のグループにする段階であって、高次変調シンボルのグループ各々におけるｉ番目の高次変調シンボルは、前記低次変調シンボルのＮ個のグループの全てにおけるｉ番目の低次変調シンボルを組み合わせることにより取得され、低次変調シンボルのグループ各々は、Ｍ個の低次変調シンボルｉ＝１，  ２，  …，  Ｍを含み、Ｎは１よりも大きい正の整数であり、Ｍは１よりも大きい正の整数である、段階と、
前記高次変調シンボルのＮ個のグループに基づいてＮ個の送信予定の信号を決定する段階と、
Ｎ個のチャネルにおけるｋ番目のチャネルを用いることにより、前記Ｎ個の送信予定の信号におけるｋ番目の送信予定の信号を送信する段階であって、ｋ＝１，  ２，  …，  Ｎである、段階と
を備える方法。
【請求項２】
低次変調シンボルのＮ個のグループを組み合わせて高次変調シンボルのＮ個のグループにする前記段階は、
前記低次変調シンボルのＮ個のグループの各々における前記ｉ番目の低次変調シンボルを用いることによりｉ番目の列ベクトルを形成する段階と、
行列Ｑにおけるｓ番目の行の行ベクトルと前記ｉ番目の列ベクトルとの積を、前記高次変調シンボルのＮ個のグループにおける高次変調シンボルのｓ番目のグループにおけるｉ番目の高次変調シンボルと決定する段階であって、ｓ＝１，  ２，  …，  Ｎである、段階と
を有する、
請求項１に記載の方法。
【請求項３】
前記高次変調シンボルのＮ個のグループに基づいてＮ個の送信予定の信号を決定する前記段階は、
Ｎ個の第１のガードインターバルを決定する段階と、
前記Ｎ個の第１のガードインターバルにおけるｔ番目の第１のガードインターバルを前記高次変調シンボルのＮ個のグループにおける高次変調シンボルのｔ番目のグループの後の位置に挿入して、ｔ番目の送信予定の信号を取得する段階であって、ｔ＝１，  ２，  …，  Ｎである、段階と
を有する、
請求項２に記載の方法。
【請求項４】
Ｎ個の第１のガードインターバルを決定する前記段階は、
第１のガード信号のＮ個のグループを決定する段階であって、前記第１のガード信号のＮ個のグループの各々は、Ｇ個の第１のガード信号を含み、Ｇは１よりも大きい正の整数である、段階と
前記第１のガード信号のＮ個のグループにおける第１のガード信号のｔ番目のグループにより形成されるシーケンスを、前記Ｎ個の第１のガードインターバルにおける前記ｔ番目の第１のガードインターバルと決定する段階と
を含む、
請求項３に記載の方法。
【請求項５】
Ｎ個の第１のガードインターバルを決定する前記段階は、
第１のガード信号のＮ個のグループを決定する段階であって、前記第１のガード信号のＮ個のグループの各々は、Ｇ個の第１のガード信号を含み、Ｇは１よりも大きい正の整数である、段階と、
前記第１のガード信号のＮ個のグループの各々におけるｒ番目の第１のガード信号を用いることによりｒ番目の列ベクトルを形成する段階であって、ｒ＝１，  ２，  …，  Ｇである、段階と、
前記行列Ｑにおける前記ｓ番目の行の前記行ベクトルと前記ｒ番目の列ベクトルとの積を、前記Ｎ個の第１のガードインターバルのｓ番目の第１のガードインターバルにおけるｒ番目の第１のガード信号と決定する段階と
を含む、
請求項３に記載の方法。
【請求項６】
前記Ｎ個の第１のガードインターバルにおけるｔ番目の第１のガードインターバルを前記高次変調シンボルのＮ個のグループにおける高次変調シンボルのｔ番目のグループの後の位置に挿入して、ｔ番目の送信予定の信号を取得する前記段階は、
前記高次変調シンボルのＮ個のグループにおける前記高次変調シンボルのｔ番目のグループにおけるｉ番目の高次変調シンボルに対して、位相シフト因子が
【数４４５】
2019526198.tif 000448
である位相シフトを実行して、位相シフトされた高次変調シンボルのｔ番目のグループを取得する段階と、
前記Ｎ個の第１のガードインターバルにおける前記ｔ番目の第１のガードインターバルにおけるｎ番目の第１のガード信号に対して、位相シフト因子が
【数４４６】
2019526198.tif 000449
である位相シフトを実行して、ｔ番目の位相シフトされた第１のガードインターバルを取得する段階であって、ｎ＝１，  ２，  …，  Ｇである、段階と、
前記ｔ番目の位相シフトされた第１のガードインターバルを前記位相シフトされた高次変調シンボルのｔ番目のグループの後の位置に挿入して、前記ｔ番目の送信予定の信号を取得する段階と
を含む、
請求項４または５に記載の方法。
【請求項７】
Ｎ個の第２のガードインターバルを決定する段階
をさらに備え、
前記Ｎ個の第１のガードインターバルにおけるｔ番目の第１のガードインターバルを前記高次変調シンボルのＮ個のグループにおける高次変調シンボルのｔ番目のグループの後の位置に挿入して、ｔ番目の送信予定の信号を取得する前記段階は、
前記Ｎ個の第２のガードインターバルにおけるｔ番目の第２のガードインターバルを前記高次変調シンボルのＮ個のグループにおける前記高次変調シンボルのｔ番目のグループの前の位置に挿入すると共に、前記ｔ番目の第１のガードインターバルを前記高次変調シンボルのｔ番目のグループの後の前記位置に挿入して、前記ｔ番目の送信予定の信号を取得する段階
を含む、
請求項３から６のいずれか一項に記載の方法。
【請求項８】
前記第１のガード信号のＮ個のグループは同じである、
請求項４から７のいずれか一項に記載の方法。
【請求項９】
Ｎの値は２であり、前記低次変調シンボルは二位相シフトキーイングＢＰＳＫシンボルであり、前記高次変調シンボルは４位相シフトキーイングＱＰＳＫシンボルである、
請求項２から８のいずれか一項に記載の方法。
【請求項１０】
前記行列Ｑは、
【数４４７】
2019526198.tif 000450
、
【数４４８】
2019526198.tif 000451
、
【数４４９】
2019526198.tif 000452
、
【数４５０】
2019526198.tif 000453
、
【数４５１】
2019526198.tif 000454
、
【数４５２】
2019526198.tif 000455
、
【数４５３】
2019526198.tif 000456
、
【数４５４】
2019526198.tif 000457
、
【数４５５】
2019526198.tif 000458
、
【数４５６】
2019526198.tif 000459
、
【数４５７】
2019526198.tif 000460
、
【数４５８】
2019526198.tif 000461
、
【数４５９】
2019526198.tif 000462
、
【数４６０】
2019526198.tif 000463
、
【数４６１】
2019526198.tif 000464
および
【数４６２】
2019526198.tif 000465
という行列のうちの１つである、
請求項９に記載の方法。
【請求項１１】
Ｎの値は２であり、前記低次変調シンボルはＱＰＳＫシンボルであり、前記高次変調シンボルは１６直交振幅変調ＱＡＭシンボルである、
請求項２から８のいずれか一項に記載の方法。
【請求項１２】
前記行列Ｑは、
【数４６３】
2019526198.tif 000466
、
【数４６４】
2019526198.tif 000467
、
【数４６５】
2019526198.tif 000468
、
【数４６６】
2019526198.tif 000469
、
【数４６７】
2019526198.tif 000470
、
【数４６８】
2019526198.tif 000471
、
【数４６９】
2019526198.tif 000472
、
【数４７０】
2019526198.tif 000473
、
【数４７１】
2019526198.tif 000474
、
【数４７２】
2019526198.tif 000475
、
【数４７３】
2019526198.tif 000476
、
【数４７４】
2019526198.tif 000477
、
【数４７５】
2019526198.tif 000478
、
【数４７６】
2019526198.tif 000479
、
【数４７７】
2019526198.tif 000480
および
【数４７８】
2019526198.tif 000481
という行列のうちの１つである、
請求項１１に記載の方法。
【請求項１３】
Ｎの値は２であり、前記低次変調シンボルはＱＰＳＫシンボルであり、前記高次変調シンボルは１６振幅位相シフトキーイングＡＰＳＫシンボルである、
請求項２から８のいずれか一項に記載の方法。
【請求項１４】
前記行列Ｑは、
【数４７９】
2019526198.tif 000482
、
【数４８０】
2019526198.tif 000483
、
【数４８１】
2019526198.tif 000484
、
【数４８２】
2019526198.tif 000485
、
【数４８３】
2019526198.tif 000486
、
【数４８４】
2019526198.tif 000487
、
【数４８５】
2019526198.tif 000488
、
【数４８６】
2019526198.tif 000489
、
【数４８７】
2019526198.tif 000490
、
【数４８８】
2019526198.tif 000491
、
【数４８９】
2019526198.tif 000492
、
【数４９０】
2019526198.tif 000493
、
【数４９１】
2019526198.tif 000494
、
【数４９２】
2019526198.tif 000495
、
【数４９３】
2019526198.tif 000496
および
【数４９４】
2019526198.tif 000497
という行列のうちの１つである、
請求項１３に記載の方法。
【請求項１５】
前記行列Ｑは、
【数４９５】
2019526198.tif 000498
、
【数４９６】
2019526198.tif 000499
、
【数４９７】
2019526198.tif 000500
、
【数４９８】
2019526198.tif 000501
、
【数４９９】
2019526198.tif 000502
、
【数５００】
2019526198.tif 000503
、
【数５０１】
2019526198.tif 000504
、
【数５０２】
2019526198.tif 000505
、
【数５０３】
2019526198.tif 000506
、
【数５０４】
2019526198.tif 000507
、
【数５０５】
2019526198.tif 000508
、
【数５０６】
2019526198.tif 000509
、
【数５０７】
2019526198.tif 000510
、
【数５０８】
2019526198.tif 000511
、
【数５０９】
2019526198.tif 000512
および
【数５１０】
2019526198.tif 000513
という行列のうちの１つである、
請求項１３に記載の方法。
【請求項１６】
【数５１１】
2019526198.tif 000514
の値は、
【数５１２】
2019526198.tif 000515
、
【数５１３】
2019526198.tif 000516
、
【数５１４】
2019526198.tif 000517
および
【数５１５】
2019526198.tif 000518
という値のうちの１つである、
請求項１４または１５に記載の方法。
【請求項１７】
Ｎの値は３であり、前記低次変調シンボルはＱＰＳＫシンボルであり、前記高次変調シンボルは６４直交振幅変調ＱＡＭシンボルである、
請求項２から８のいずれか一項に記載の方法。
【請求項１８】
前記行列Ｑは、
【数５１６】
2019526198.tif 000519
、
【数５１７】
2019526198.tif 000520
、
【数５１８】
2019526198.tif 000521
および
【数５１９】
2019526198.tif 000522
という行列のうちの１つである、
請求項１７に記載の方法。
【請求項１９】
前記Ｎ個のチャネルの各々の帯域幅は２．１６ＧＨｚである、
請求項１から１８のいずれか一項に記載の方法。
【請求項２０】
マルチチャネルベースの信号送信の装置であって、
処理ユニットと送信ユニットとを備え、
前記処理ユニットは、低次変調シンボルのＮ個のグループを組み合わせて高次変調シンボルのＮ個のグループにするように構成され、高次変調シンボルのグループ各々におけるｉ番目の高次変調シンボルは、前記低次変調シンボルのＮ個のグループの全てにおけるｉ番目の低次変調シンボルを組み合わせることにより取得され、低次変調シンボルのグループ各々は、Ｍ個の低次変調シンボルｉ＝１，  ２，  …，  Ｍを含み、Ｎは１よりも大きい正の整数であり、Ｍは１よりも大きい正の整数であり、
前記処理ユニットはさらに、前記高次変調シンボルのＮ個のグループに基づいてＮ個の送信予定の信号を決定するように構成され、
前記送信ユニットは、Ｎ個のチャネルにおけるｋ番目のチャネルを用いることにより、前記Ｎ個の送信予定の信号におけるｋ番目の送信予定の信号を送信するように構成され、ｋ＝１，  ２，  …，  Ｎである、
装置。
【請求項２１】
前記低次変調シンボルのＮ個のグループを組み合わせて前記高次変調シンボルのＮ個のグループにする場合、前記処理ユニットは具体的には、
前記低次変調シンボルのＮ個のグループの各々における前記ｉ番目の低次変調シンボルを用いることによりｉ番目の列ベクトルを形成し、かつ、
行列Ｑにおけるｓ番目の行の行ベクトルと前記ｉ番目の列ベクトルとの積を、前記高次変調シンボルのＮ個のグループにおける高次変調シンボルのｓ番目のグループにおけるｉ番目の高次変調シンボルと決定する
ように構成され、
ｓ＝１，  ２，  …，  Ｎである、
請求項２０に記載の装置。
【請求項２２】
前記高次変調シンボルのＮ個のグループに基づいて前記Ｎ個の送信予定の信号を決定する場合、前記処理ユニットは具体的には、
Ｎ個の第１のガードインターバルを決定し、かつ、
前記Ｎ個の第１のガードインターバルにおけるｔ番目の第１のガードインターバルを前記高次変調シンボルのＮ個のグループにおける高次変調シンボルのｔ番目のグループの後の位置に挿入して、ｔ番目の送信予定の信号を取得する
ように構成され、
ｔ＝１，  ２，  …，  Ｎである、
請求項２１に記載の装置。
【請求項２３】
前記Ｎ個の第１のガードインターバルを決定する場合、前記処理ユニットは具体的には、
第１のガード信号のＮ個のグループを決定し、かつ、
前記第１のガード信号のＮ個のグループにおける第１のガード信号のｔ番目のグループにより形成されるシーケンスを、前記Ｎ個の第１のガードインターバルにおける前記ｔ番目の第１のガードインターバルと決定する
ように構成され、
前記第１のガード信号のＮ個のグループの各々は、Ｇ個の第１のガード信号を含み、Ｇは１よりも大きい正の整数である、
請求項２２に記載の装置。
【請求項２４】
前記Ｎ個の第１のガードインターバルを決定する場合、前記処理ユニットは具体的には、
第１のガード信号のＮ個のグループを決定し、
前記第１のガード信号のＮ個のグループの各々におけるｒ番目の第１のガード信号を用いることによりｒ番目の列ベクトルを形成し、かつ、
前記行列Ｑにおける前記ｓ番目の行の前記行ベクトルと前記ｒ番目の列ベクトルとの積を、前記Ｎ個の第１のガードインターバルのｓ番目の第１のガードインターバルにおけるｒ番目の第１のガード信号と決定する
ように構成され、
前記第１のガード信号のＮ個のグループの各々は、Ｇ個の第１のガード信号を含み、Ｇは１よりも大きい正の整数であり、
ｒ＝１，  ２，  …，  Ｇである、
請求項２２に記載の装置。
【請求項２５】
前記Ｎ個の第１のガードインターバルにおける前記ｔ番目の第１のガードインターバルを前記高次変調シンボルのＮ個のグループにおける前記高次変調シンボルのｔ番目のグループの後の前記位置に挿入して、前記ｔ番目の送信予定の信号を取得する場合、前記処理ユニットは具体的には、
前記高次変調シンボルのＮ個のグループにおける前記高次変調シンボルのｔ番目のグループにおけるｉ番目の高次変調シンボルに対して、位相シフト因子が
【数５２０】
2019526198.tif 000523
である位相シフトを実行して、位相シフトされた高次変調シンボルのｔ番目のグループを取得し、
前記Ｎ個の第１のガードインターバルにおける前記ｔ番目の第１のガードインターバルにおけるｎ番目の第１のガード信号に対して、位相シフト因子が
【数５２１】
2019526198.tif 000524
である位相シフトを実行して、ｔ番目の位相シフトされた第１のガードインターバルを取得し、かつ、
前記ｔ番目の位相シフトされた第１のガードインターバルを前記位相シフトされた高次変調シンボルのｔ番目のグループの後の位置に挿入して、前記ｔ番目の送信予定の信号を取得する
ように構成され、
ｎ＝１，  ２，  …，  Ｇである、
請求項２３または２４に記載の装置。
【請求項２６】
前記処理ユニットはさらに、
Ｎ個の第２のガードインターバルを決定するように構成され、
前記Ｎ個の第１のガードインターバルにおける前記ｔ番目の第１のガードインターバルを前記高次変調シンボルのＮ個のグループにおける前記高次変調シンボルのｔ番目のグループの後の前記位置に挿入して、前記ｔ番目の送信予定の信号を取得する場合、前記処理ユニットは具体的には、
前記Ｎ個の第２のガードインターバルにおけるｔ番目の第２のガードインターバルを前記高次変調シンボルのＮ個のグループにおける前記高次変調シンボルのｔ番目のグループの前の位置に挿入すると共に、前記ｔ番目の第１のガードインターバルを前記高次変調シンボルのｔ番目のグループの後の前記位置に挿入して、前記ｔ番目の送信予定の信号を取得するように構成される、
請求項２３から２５のいずれか一項に記載の装置。
【請求項２７】
前記第１のガード信号のＮ個のグループは同じである、
請求項２３から２６のいずれか一項に記載の装置。
【請求項２８】
Ｎの値は２であり、前記低次変調シンボルは二位相シフトキーイングＢＰＳＫシンボルであり、前記高次変調シンボルは４位相シフトキーイングＱＰＳＫシンボルである、
請求項２１から２７のいずれか一項に記載の装置。
【請求項２９】
前記行列Ｑは、
【数５２２】
2019526198.tif 000525
、
【数５２３】
2019526198.tif 000526
、
【数５２４】
2019526198.tif 000527
、
【数５２５】
2019526198.tif 000528
、
【数５２６】
2019526198.tif 000529
、
【数５２７】
2019526198.tif 000530
、
【数５２８】
2019526198.tif 000531
、
【数５２９】
2019526198.tif 000532
、
【数５３０】
2019526198.tif 000533
、
【数５３１】
2019526198.tif 000534
、
【数５３２】
2019526198.tif 000535
、
【数５３３】
2019526198.tif 000536
、
【数５３４】
2019526198.tif 000537
、
【数５３５】
2019526198.tif 000538
、
【数５３６】
2019526198.tif 000539
および
【数５３７】
2019526198.tif 000540
という行列のうちの１つである、
請求項２８に記載の装置。
【請求項３０】
Ｎの値は２であり、前記低次変調シンボルはＱＰＳＫシンボルであり、前記高次変調シンボルは１６直交振幅変調ＱＡＭシンボルである、
請求項２１から２７のいずれか一項に記載の装置。
【請求項３１】
前記行列Ｑは、
【数５３８】
2019526198.tif 000541
、
【数５３９】
2019526198.tif 000542
、
【数５４０】
2019526198.tif 000543
、
【数５４１】
2019526198.tif 000544
、
【数５４２】
2019526198.tif 000545
、
【数５４３】
2019526198.tif 000546
、
【数５４４】
2019526198.tif 000547
、
【数５４５】
2019526198.tif 000548
、
【数５４６】
2019526198.tif 000549
、
【数５４７】
2019526198.tif 000550
、
【数５４８】
2019526198.tif 000551
、
【数５４９】
2019526198.tif 000552
、
【数５５０】
2019526198.tif 000553
、
【数５５１】
2019526198.tif 000554
、
【数５５２】
2019526198.tif 000555
および
【数５５３】
2019526198.tif 000556
という行列のうちの１つである、
請求項３０に記載の装置。
【請求項３２】
Ｎの値は２であり、前記低次変調シンボルはＱＰＳＫシンボルであり、前記高次変調シンボルは１６振幅位相シフトキーイングＡＰＳＫシンボルである、
請求項２１から２７のいずれか一項に記載の装置。
【請求項３３】
前記行列Ｑは、
【数５５４】
2019526198.tif 000557
、
【数５５５】
2019526198.tif 000558
、
【数５５６】
2019526198.tif 000559
、
【数５５７】
2019526198.tif 000560
、
【数５５８】
2019526198.tif 000561
、
【数５５９】
2019526198.tif 000562
、
【数５６０】
2019526198.tif 000563
、
【数５６１】
2019526198.tif 000564
、
【数５６２】
2019526198.tif 000565
、
【数５６３】
2019526198.tif 000566
、
【数５６４】
2019526198.tif 000567
、
【数５６５】
2019526198.tif 000568
、
【数５６６】
2019526198.tif 000569
、
【数５６７】
2019526198.tif 000570
、
【数５６８】
2019526198.tif 000571
および
【数５６９】
2019526198.tif 000572
という行列のうちの１つである、
請求項３２に記載の装置。
【請求項３４】
前記行列Ｑは、
【数５７０】
2019526198.tif 000573
、
【数５７１】
2019526198.tif 000574
、
【数５７２】
2019526198.tif 000575
、
【数５７３】
2019526198.tif 000576
、
【数５７４】
2019526198.tif 000577
、
【数５７５】
2019526198.tif 000578
、
【数５７６】
2019526198.tif 000579
、
【数５７７】
2019526198.tif 000580
、
【数５７８】
2019526198.tif 000581
、
【数５７９】
2019526198.tif 000582
、
【数５８０】
2019526198.tif 000583
、
【数５８１】
2019526198.tif 000584
、
【数５８２】
2019526198.tif 000585
、
【数５８３】
2019526198.tif 000586
、
【数５８４】
2019526198.tif 000587
および
【数５８５】
2019526198.tif 000588
という行列のうちの１つである、
請求項３２に記載の装置。
【請求項３５】
【数５８６】
2019526198.tif 000589
の値は、
【数５８７】
2019526198.tif 000590
、
【数５８８】
2019526198.tif 000591
、
【数５８９】
2019526198.tif 000592
および
【数５９０】
2019526198.tif 000593
という値のうちの１つである、
請求項３３または３４に記載の装置。
【請求項３６】
Ｎの値は３であり、前記低次変調シンボルはＱＰＳＫシンボルであり、前記高次変調シンボルは６４直交振幅変調ＱＡＭシンボルである、
請求項２１から２７のいずれか一項に記載の装置。
【請求項３７】
前記行列Ｑは、
【数５９１】
2019526198.tif 000594
、
【数５９２】
2019526198.tif 000595
、
【数５９３】
2019526198.tif 000596
および
【数５９４】
2019526198.tif 000597
という行列のうちの１つである、
請求項３６に記載の装置。
【請求項３８】
前記Ｎ個のチャネルの各々の帯域幅は、２．１６ＧＨｚである、
２０から３７のいずれか一項に記載の装置。
【発明の詳細な説明】
【技術分野】
【０００１】
本願の実施形態は、通信分野に関し、特に、マルチチャネルベースの信号送信の方法および装置に関する。
【背景技術】
【０００２】
８０２．１１ａｄプロトコルに対応する無線ローカルエリアネットワークサブシステムは、６０ＧＨｚの周波数帯域で動作し、主に、家庭用マルチメディアアプリケーションのためのより完全な高精細度ビデオソリューションを提供すべく、無線高精細度音声信号および無線高精細度ビデオ信号を家庭内で送信するために用いられる。しかしながら、チャネルが１つのみである現在の８０２．１１ａｄプロトコルは、信号の送信のために一度だけ用いられ得る。送信スループットを改善すべく、複数のチャネルが、次世代８０２．１１ａｄプロトコルにおいて信号を送信するために同時に用いられ得る。チャネルアグリゲーション（Ｃｈａｎｎｅｌ  Ａｇｇｒｅｇａｔｉｏｎ）は、マルチチャネルベースの信号送信方式である。信号がチャネルアグリゲーションを通じて送信される場合、どのように信号送信の信頼性をさらに改善するかは、早急に解決する必要がある課題である。
【発明の概要】
【０００３】
本願は、１つの信号を異なるチャネルで送信し、信号ダイバーシティ送信を実行し、かつ、信号送信の信頼性を改善するためのマルチチャネルベースの信号送信の方法および装置を提供する。
【０００４】
第１の態様によれば、マルチチャネルベースの信号送信の方法が提供される。方法は、低次変調シンボルのＮ個のグループを組み合わせて高次変調シンボルのＮ個のグループにする段階であって、高次変調シンボルの各グループにおけるｉ番目の高次変調シンボルは、上記低次変調シンボルのＮ個のグループの全てにおけるｉ番目の低次変調シンボルを組み合わせることにより取得され、低次変調シンボルの各グループは、Ｍ個の低次変調シンボルｉ＝１，  ２，  …，  Ｍを含み、Ｎは１よりも大きい正の整数であり、Ｍは１よりも大きい正の整数である、段階と、上記高次変調シンボルのＮ個のグループに基づいてＮ個の送信予定の信号を決定する段階と、Ｎ個のチャネルにおけるｋ番目のチャネルを用いることにより、上記Ｎ個の送信予定の信号におけるｋ番目の送信予定の信号を送信する段階であって、ｋ＝１，  ２，  …，  Ｎである、段階とを含む。
【０００５】
各低次変調シンボルはコンスタレーション図における１つのコンスタレーションポイントに対応し、各高次変調シンボルはコンスタレーション図における１つのコンスタレーションポイントに対応することが理解され得る。低次変調シンボルの複数のグループが組み合わされて高次変調シンボルの複数のグループになり、高次変調シンボルの複数のグループは、複数のチャネルを用いることにより送信される。このように、１つの低次変調シンボルが異なるチャネルで送信され得、信号ダイバーシティ送信が実行され得る。
【０００６】
従って、本願の本実施形態におけるマルチチャネルベースの信号送信の方法によれば、低次変調シンボルの複数のグループが組み合わされて高次変調シンボルの複数のグループになり、複数の送信予定の信号が高次変調シンボルの複数のグループに基づいて決定され、複数の送信予定の信号が、複数のチャネルを用いることにより送信される。このように、１つの信号が異なるチャネルで送信され得、信号ダイバーシティ送信が実行され得、信号送信の信頼性が改善され得る。
【０００７】
任意選択で、Ｎの値は２または３であり、Ｍの値は４４８である。
【０００８】
第１の態様を参照すると、第１の態様の第１の可能な実装形態において、低次変調シンボルのＮ個のグループを組み合わせて高次変調シンボルのＮ個のグループにする上記段階は、上記低次変調シンボルのＮ個のグループの各々における上記ｉ番目の低次変調シンボルを用いることによりｉ番目の列ベクトルを形成する段階と、行列Ｑにおけるｓ番目の行の行ベクトルと上記ｉ番目の列ベクトルとの積を、上記高次変調シンボルのＮ個のグループにおける高次変調シンボルのｓ番目のグループにおけるｉ番目の高次変調シンボルと決定する段階であって、ｓ＝１，  ２，  …，  Ｎである、段階とを含む。
【０００９】
行列Ｑにおけるｓ番目の行の行ベクトルは、その行列におけるｓ番目の行における要素を含む行ベクトルである。概して、ｓ番目の行における第１の要素は、その行ベクトルの第１の要素として用いられ、ｓ番目の行におけるｉ番目の要素は、その行ベクトルのｉ番目の要素として用いられる。低次変調シンボルのＮ個のグループの各々におけるｉ番目の低次変調シンボルを用いることによりｉ番目の列ベクトルを形成する段階は具体的には、以下のとおり理解され得る。第１のグループにおけるｉ番目の低次変調シンボルは、ｉ番目の列ベクトルの第１の要素として用いられ、第２のグループにおけるｉ番目の低次変調シンボルは、ｉ番目の列ベクトルの第２の要素として用いられ、類推により、ｎ番目のグループにおけるｉ番目の低次変調シンボルは、ｉ番目の列ベクトルのｎ番目の要素として用いられる。
【００１０】
加えて、行列ＱがＮ個の行およびＮ個の列から成る行列であることを知るのは容易である。
【００１１】
具体的には、低次変調シンボルの複数のグループが組み合わされて高次変調シンボルの複数のグループになる場合、プロセスは具体的には、送信機の実装が簡略化され得るように、行列間での乗算を通じて実装され得る。
【００１２】
第１の態様の第１の可能な実装形態を参照すると、第１の態様の第２の可能な実装形態において、上記高次変調シンボルのＮ個のグループに基づいてＮ個の送信予定の信号を決定する上記段階は、Ｎ個の第１のガードインターバルを決定する段階と、上記Ｎ個の第１のガードインターバルにおけるｔ番目の第１のガードインターバルを上記高次変調シンボルのＮ個のグループにおける高次変調シンボルのｔ番目のグループの後の位置に挿入して、ｔ番目の送信予定の信号を取得する段階であって、ｔ＝１，  ２，  …，  Ｎである、段階とを含む。
【００１３】
任意選択で、第１のガードインターバルの各々は、６４ビットのゴレイ（Ｇｏｌａｙ）シーケンスにより形成される。
【００１４】
第１の態様の第２の可能な実装形態を参照すると、第１の態様の第３の可能な実装形態において、Ｎ個の第１のガードインターバルを決定する上記段階は、第１のガード信号のＮ個のグループを決定する段階であって、上記第１のガード信号のＮ個のグループの各々は、Ｇ個の第１のガード信号を含み、Ｇは１よりも大きい正の整数である、段階と、上記第１のガード信号のＮ個のグループにおける第１のガード信号のｔ番目のグループにより形成されるシーケンスを、上記Ｎ個の第１のガードインターバルにおける上記ｔ番目の第１のガードインターバルと決定する段階とを含む。
【００１５】
任意選択で、Ｇの値は６４である。
【００１６】
第１の態様の第２の可能な実装形態を参照すると、第１の態様の第４の可能な実装形態において、Ｎ個の第１のガードインターバルを決定する上記段階は、第１のガード信号のＮ個のグループを決定する段階であって、上記第１のガード信号のＮ個のグループの各々は、Ｇ個の第１のガード信号を含み、Ｇは１よりも大きい正の整数である、段階と、上記第１のガード信号のＮ個のグループの各々におけるｒ番目の第１のガード信号を用いることによりｒ番目の列ベクトルを形成する段階であって、ｒ＝１，  ２，  …，  Ｇである、段階と、上記行列Ｑにおける上記ｓ番目の行の上記行ベクトルと上記ｒ番目の列ベクトルとの積を、上記Ｎ個の第１のガードインターバルのｓ番目の第１のガードインターバルにおけるｒ番目の第１のガード信号と決定する段階とを含む。
【００１７】
具体的には、決定されたガード信号のＮ個のグループが組み合わされて、組み合わされたガード信号のＮ個のグループが取得され、組み合わされたガード信号の各グループは、ガードインターバルを形成し、組み合わされたガード信号の各グループにより形成されたガードインターバルは、高次変調シンボルのグループの後の位置に挿入され、送信予定の信号が形成される。
【００１８】
代替的に、以下のとおり理解され得る。低次変調シンボルのＮ個のグループおよび決定されたガード信号が同じ方式で組み合わされて、高次変調シンボルのＮ個のグループおよび組み合わされたガード信号がそれぞれ取得され、高次変調シンボルと組み合わされたガード信号により形成されたガードインターバルとが送信予定の信号を形成する。このように、受信機は、受信した信号に対して離散フーリエ変換（Ｄｉｓｃｒｅｔｅ  Ｆｏｕｒｉｅｒ  Ｔｒａｎｓｆｏｒｍ、ＤＦＴ）を実行して、周波数領域信号を取得し、チャネル行列を用いることにより周波数領域信号に対して均一化処理を実行して、周波数領域高次変調シンボルおよび周波数領域の組み合わされたガード信号を取得し、かつ、周波数領域高次変調シンボルおよび周波数領域の組み合わされたガード信号に対して逆離散フーリエ変換（Ｉｎｖｅｒｓｅ  Ｄｉｓｃｒｅｔｅ  Ｆｏｕｒｉｅｒ  Ｔｒａｎｓｆｏｒｍ、ＩＤＦＴ）を実行して、時間領域高次変調シンボルおよび時間領域の組み合わされたガード信号を取得し得る。従って、信号の組み合わせは周波数領域において実行され得、受信機の実装は簡略化され得る。
【００１９】
第１の態様の第３の可能な実装形態または第４の可能な実装形態を参照すると、第１の態様の第５の可能な実装形態において、上記Ｎ個の第１のガードインターバルにおけるｔ番目の第１のガードインターバルを上記高次変調シンボルのＮ個のグループにおける高次変調シンボルのｔ番目のグループの後の位置に挿入して、ｔ番目の送信予定の信号を取得する上記段階は、上記高次変調シンボルのＮ個のグループにおける上記高次変調シンボルのｔ番目のグループにおけるｉ番目の高次変調シンボルに対して位相シフトを実行して、位相シフトされた高次変調シンボルのｔ番目のグループを取得する段階であって、上記位相シフトの位相シフト因子は
【数１】
2019526198.tif 000003
である、段階と、上記Ｎ個の第１のガードインターバルにおける上記ｔ番目の第１のガードインターバルにおけるｎ番目の第１のガード信号に対して位相シフトを実行して、ｔ番目の位相シフトされた第１のガードインターバルを取得する段階であって、上記位相シフトの位相シフト因子は
【数２】
2019526198.tif 000004
であり、ｎ＝１，  ２，  …，  Ｇである、段階と、上記ｔ番目の位相シフトされた第１のガードインターバルを上記位相シフトされた高次変調シンボルのｔ番目のグループの後の位置に挿入して、上記ｔ番目の送信予定の信号を取得する段階とを含む。
【００２０】
代替的に、以下のとおり理解され得る。各高次変調シンボルが高次変調シンボルに対応する位相シフト因子
【数３】
2019526198.tif 000005
により乗算されて、位相シフトされた高次変調シンボルが取得され、第１のガード信号の各々が第１のガード信号に対応する位相シフト因子
【数４】
2019526198.tif 000006
により乗算されて、位相シフトされた第１のガード信号が取得される。
【００２１】
第１の態様の第２の可能な実装形態から第５の可能な実装形態のいずれか１つを参照すると、第１の態様の第６の可能な実装形態において、方法は、Ｎ個の第２のガードインターバルを決定する段階をさらに含み、上記Ｎ個の第１のガードインターバルにおけるｔ番目の第１のガードインターバルを上記高次変調シンボルのＮ個のグループにおける高次変調シンボルのｔ番目のグループの後の位置に挿入して、ｔ番目の送信予定の信号を取得する上記段階は、上記Ｎ個の第２のガードインターバルにおけるｔ番目の第２のガードインターバルを上記高次変調シンボルのＮ個のグループにおける上記高次変調シンボルのｔ番目のグループの前の位置に挿入すると共に、上記ｔ番目の第１のガードインターバルを上記高次変調シンボルのｔ番目のグループの後の上記位置に挿入して、上記ｔ番目の送信予定の信号を取得する段階を含む。
【００２２】
第２のガードインターバルは、マルチパス干渉がさらに低減され得るように、高次変調シンボルの各グループの前の位置に挿入される。
【００２３】
第１の態様の第３の可能な実装形態から第６の可能な実装形態のいずれか１つを参照すると、第１の態様の第７の可能な実装形態において、第１のガード信号のＮ個のグループは同じである。
【００２４】
第２のガードインターバルが決定される場合、第２のガード信号のＮ個のグループが決定され得、第２のガード信号のＮ個のグループの各々はＧ個の第２のガード信号を含み、Ｇは１よりも大きい正の整数であり、第２のガード信号のＮ個のグループにおける第２のガード信号のｔ番目のグループにより形成されるシーケンスは、Ｎ個の第２のガードインターバルにおけるｔ番目の第２のガードインターバルと決定されることが理解され得る。代替的に、第２のガードインターバルが決定される場合、第２のガード信号のＮ個のグループが決定され得、第２のガード信号のＮ個のグループの各々は、Ｇ個の第２のガード信号を含み、Ｇは１よりも大きい正の整数であり、ｒ番目の列ベクトルは第２のガード信号のＮ個のグループの各々におけるｒ番目の第２のガード信号を用いることにより形成され、行列Ｑにおけるｓ番目の行の行ベクトルとｒ番目の列ベクトルとの積は、Ｎ個の第２のガードインターバルにおけるｓ番目の第２のガードインターバルにおけるｒ番目の第２のガード信号と決定される。
【００２５】
任意選択で、第２のガード信号のＮ個のグループは同じである。
【００２６】
任意選択で、第２のガード信号のＮ個のグループは、第１のガード信号のＮ個のグループと同じである。
【００２７】
第１の態様の第１の可能な実装形態から第７の可能な実装形態のいずれか１つを参照すると、第１の態様の第８の可能な実装形態において、Ｎの値は２であり、低次変調シンボルは二位相シフトキーイング（Ｂｉｎａｒｙ  Ｐｈａｓｅ  Ｓｈｉｆｔ  Ｋｅｙｉｎｇ、ＢＰＳＫ）シンボルであり、高次変調シンボルは４位相シフトキーイング（Ｑｕａｄｒａｔｕｒｅ  Ｐｈａｓｅ  Ｓｈｉｆｔ  Ｋｅｙｉｎｇ、ＱＰＳＫ）シンボルである。
【００２８】
第１の態様を参照すると、第１の態様の第９の可能な実装形態において、行列Ｑは、
【数５】
2019526198.tif 000007
、
【数６】
2019526198.tif 000008
、
【数７】
2019526198.tif 000009
、
【数８】
2019526198.tif 000010
、
【数９】
2019526198.tif 000011
、
【数１０】
2019526198.tif 000012
、
【数１１】
2019526198.tif 000013
、
【数１２】
2019526198.tif 000014
、
【数１３】
2019526198.tif 000015
、
【数１４】
2019526198.tif 000016
、
【数１５】
2019526198.tif 000017
、
【数１６】
2019526198.tif 000018
、
【数１７】
2019526198.tif 000019
、
【数１８】
2019526198.tif 000020
、
【数１９】
2019526198.tif 000021
および
【数２０】
2019526198.tif 000022
という行列のうちの１つである。
【００２９】
第１の態様の第１の可能な実装形態から第７の可能な実装形態のいずれか１つを参照すると、第１の態様の第１０の可能な実装形態において、Ｎの値は２であり、低次変調シンボルはＱＰＳＫシンボルであり、高次変調シンボルは１６直交振幅変調（Ｑｕａｄｒａｔｕｒｅ  Ａｍｐｌｉｔｕｄｅ  Ｍｏｄｕｌａｔｉｏｎ、ＱＡＭ）シンボルである。
【００３０】
第１の態様の第１０の可能な実装形態を参照すると、第１の態様の第１１の可能な実装形態において、行列Ｑは、
【数２１】
2019526198.tif 000023
、
【数２２】
2019526198.tif 000024
、
【数２３】
2019526198.tif 000025
、
【数２４】
2019526198.tif 000026
、
【数２５】
2019526198.tif 000027
、
【数２６】
2019526198.tif 000028
、
【数２７】
2019526198.tif 000029
、
【数２８】
2019526198.tif 000030
、
【数２９】
2019526198.tif 000031
、
【数３０】
2019526198.tif 000032
、
【数３１】
2019526198.tif 000033
、
【数３２】
2019526198.tif 000034
、
【数３３】
2019526198.tif 000035
、
【数３４】
2019526198.tif 000036
、
【数３５】
2019526198.tif 000037
および
【数３６】
2019526198.tif 000038
という行列のうちの１つである。
【００３１】
第１の態様の第１の可能な実装形態から第７の可能な実装形態のいずれか１つを参照すると、第１の態様の第１２の可能な実装態様において、Ｎの値は２であり、低次変調シンボルはＱＰＳＫシンボルであり、高次変調シンボルは１６振幅位相シフトキーイング（Ａｍｐｌｉｔｕｄｅ  Ｐｈａｓｅ  Ｓｈｉｆｔ  Ｋｅｙｉｎｇ、ＡＰＳＫ）シンボルである。
【００３２】
第１の態様の第１２の可能な実装態様を参照すると、第１の態様の第１３の可能な実装態様において、行列Ｑは、
【数３７】
2019526198.tif 000039
、
【数３８】
2019526198.tif 000040
、
【数３９】
2019526198.tif 000041
、
【数４０】
2019526198.tif 000042
、
【数４１】
2019526198.tif 000043
、
【数４２】
2019526198.tif 000044
、
【数４３】
2019526198.tif 000045
、
【数４４】
2019526198.tif 000046
、
【数４５】
2019526198.tif 000047
、
【数４６】
2019526198.tif 000048
、
【数４７】
2019526198.tif 000049
、
【数４８】
2019526198.tif 000050
、
【数４９】
2019526198.tif 000051
、
【数５０】
2019526198.tif 000052
、
【数５１】
2019526198.tif 000053
および
【数５２】
2019526198.tif 000054
という行列のうちの１つである。
【００３３】
第１の態様の第１２の可能な実装態様を参照すると、第１の態様の第１４の可能な実装形態において、行列Ｑは、
【数５３】
2019526198.tif 000055
、
【数５４】
2019526198.tif 000056
、
【数５５】
2019526198.tif 000057
、
【数５６】
2019526198.tif 000058
、
【数５７】
2019526198.tif 000059
、
【数５８】
2019526198.tif 000060
、
【数５９】
2019526198.tif 000061
、
【数６０】
2019526198.tif 000062
、
【数６１】
2019526198.tif 000063
、
【数６２】
2019526198.tif 000064
、
【数６３】
2019526198.tif 000065
、
【数６４】
2019526198.tif 000066
、
【数６５】
2019526198.tif 000067
、
【数６６】
2019526198.tif 000068
、
【数６７】
2019526198.tif 000069
および
【数６８】
2019526198.tif 000070
という行列のうちの１つである。
【００３４】
第１の態様の第１３の可能な実装形態または第１４の可能な実装形態を参照すると、第１の態様の第１５の可能な実装形態において、
【数６９】
2019526198.tif 000071
の値は、
【数７０】
2019526198.tif 000072
、
【数７１】
2019526198.tif 000073
、
【数７２】
2019526198.tif 000074
および
【数７３】
2019526198.tif 000075
という値のうちの１つである。
【００３５】
第１の態様の第１の可能な実装形態から第７の可能な実装形態のいずれか１つを参照すると、第１の態様の第１６の可能な実装形態において、Ｎの値は３であり、低次変調シンボルはＱＰＳＫシンボルであり、高次変調シンボルは６４直交振幅変調ＱＡＭシンボルである。
【００３６】
第１の態様の第１６の可能な実装形態を参照すると、第１の態様の第１７の可能な実装形態において、行列Ｑは、
【数７４】
2019526198.tif 000076
、
【数７５】
2019526198.tif 000077
、
【数７６】
2019526198.tif 000078
および
【数７７】
2019526198.tif 000079
という行列のうちの１つである。
【００３７】
第１の態様、または第１の態様の第１の可能な実装形態から第１７の可能な実装形態のいずれか１つを参照すると、第１の態様の第１８の可能な実装形態において、Ｎ個のチャネルの各々の帯域幅は２．１６ＧＨｚである。
【００３８】
任意選択で、Ｎの値は２であり、低次変調シンボルはπ／２  ＢＰＳＫシンボルであり、高次変調シンボルはπ／２  ＱＰＳＫシンボルであるか、または、Ｎの値は２であり、低次変調シンボルはπ／２  ＱＰＳＫシンボルであり、高次変調シンボルはπ／２  １６ＱＡＭシンボルであるか、または、Ｎの値は２であり、低次変調シンボルはπ／２  ＱＰＳＫシンボルであり、高次変調シンボルはπ／２  １６ＡＰＳＫシンボルである。
【００３９】
任意選択で、Ｎの値が２であり、低次変調シンボルがπ／２  ＢＰＳＫシンボルであり、高次変調シンボルがπ／２  ＱＰＳＫシンボルである場合、行列Ｑは、第１の態様の第９の可能な実装形態における行列のうちの１つである。
【００４０】
任意選択で、Ｎの値が２であり、低次変調シンボルがπ／２  ＱＰＳＫシンボルであり、高次変調シンボルがπ／２  １６ＱＡＭシンボルである場合、行列Ｑは、第１の態様の第１１の可能な実装形態における行列のうちの１つである。
【００４１】
任意選択で、Ｎの値が２であり、低次変調シンボルがπ／２  ＱＰＳＫシンボルであり、高次変調シンボルがπ／２  １６ＡＰＳＫシンボルである場合、行列Ｑは、第１の態様の第１３の可能な実装態様における行列のうちの１つであるか、または、行列Ｑは、第１の態様の第１４の可能な実装形態における行列のうちの１つである。
【００４２】
前述の可能な実装形態の全てにおいて、Ｎ個のチャネルにおけるｋ番目のチャネルを用いることによりＮ個の送信予定の信号におけるｋ番目の送信予定の信号を送信する段階は、Ｎ個の送信予定の信号をＮ個のアナログ信号に変換する段階と、Ｎ個のアナログ信号におけるｋ番目のアナログ信号とＮ個のチャネルにおけるｋ番目のチャネルに対応するキャリア信号との積を、ｋ番目の無線周波数信号と決定する段階と、Ｎ個のチャネルにおけるｋ番目のチャネルを用いることによりｋ番目の無線周波数信号を送信する段階とを含む。
【００４３】
Ｎ個の送信予定の信号をＮ個のアナログ信号に変換する段階は具体的には、送信予定の信号の各々に対してフィルタリング処理を実行し、次に、フィルタリング処理が実行されたデジタル信号に対してデジタル／アナログ変換（Ｄ／Ａ）変換を実行して、アナログ信号を取得する段階を含む。
【００４４】
任意選択で、実際の送信中、Ｎ個の無線周波数信号が重畳されて、重畳された無線周波数信号が取得され、重畳された無線周波数信号が送信される。
【００４５】
第２の態様によれば、装置が提供される。装置は、第１の態様または第１の態様の可能な実装形態のいずれか１つにおける方法を実行するように構成される。具体的には、装置は、第１の態様または第１の態様の可能な実装形態のいずれか１つにおける方法を実行するように構成されるユニットを含む。
【００４６】
第３の態様によれば、装置が提供される。装置は、プロセッサと、メモリと、送信機とを含む。プロセッサと、メモリと、送信機とは、バスを用いることにより互いに接続される。メモリは、命令を格納するように構成される。プロセッサは、装置が第１の態様または第１の態様の可能な実装形態のいずれか１つにおける方法を実行することを可能にするように、メモリに格納されている命令を呼び出し、かつ、情報を送信するよう送信機を制御するように構成される。
【００４７】
第４の態様によれば、コンピュータ可読媒体が提供される。コンピュータ可読媒体は、コンピュータプログラムを格納するように構成される。コンピュータプログラムは、第１の態様または第１の態様の可能な実装形態のいずれか１つにおける方法を実行するために用いられる命令を含む。
【図面の簡単な説明】
【００４８】
【図１】本願の実施形態によるチャネル分割の概略図である。
【００４９】
【図２】本願の実施形態による適用シナリオの概略図である。
【００５０】
【図３】図２の適用シナリオにおける基地局およびユーザ機器の内部構造の概略図である。
【００５１】
【図４】ＱＰＳＫ変調のコンスタレーション図である。
【００５２】
【図５】本願の実施形態によるチャネルアグリゲーション実装原理の概略図である。
【００５３】
【図６】本願の実施形態によるマルチチャネルベースの信号送信の方法の概略的なフローチャートである。
【００５４】
【図７】本願の特定の実施形態によるマルチチャネルベースの信号送信の方法の概略図である。
【００５５】
【図８】本願の別の特定の実施形態によるマルチチャネルベースの信号送信の方法の概略図である。
【００５６】
【図９】本願のさらに別の特定の実施形態によるマルチチャネルベースの信号送信の方法の概略図である。
【００５７】
【図１０】本願のさらに別の特定の実施形態によるマルチチャネルベースの信号送信の方法の概略図である。
【００５８】
【図１１】本願の実施形態によるマルチチャネルベースの信号送信の装置の概略ブロック図である。
【００５９】
【図１２】本願の別の実施形態によるマルチチャネルベースの信号送信の装置の概略ブロック図である。
【発明を実施するための形態】
【００６０】
本願の実施形態における技術的解決手段は、例えば、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、５Ｇネットワークなどの将来のネットワーク、デバイスツーデバイス（Ｄｅｖｉｃｅ  ｔｏ  Ｄｅｖｉｃｅ、Ｄ２Ｄ）システムおよびマシンツーマシン（Ｍａｃｈｉｎｅ  ｔｏ  Ｍａｃｈｉｎｅ、Ｍ２Ｍ）システム  といった様々な適切な通信システムに適用され得る。
【００６１】
本願の実施形態において、ユーザ機器（Ｕｓｅｒ  Ｅｑｕｉｐｍｅｎｔ、ＵＥ）は、端末機器（Ｔｅｒｍｉｎａｌ  Ｅｑｕｉｐｍｅｎｔ）、移動局（Ｍｏｂｉｌｅ  Ｓｔａｔｉｏｎ、ＭＳ）、移動端末（Ｍｏｂｉｌｅ  Ｔｅｒｍｉｎａｌ）等とも称され得る。ユーザ機器は、無線アクセスネットワーク（Ｒａｄｉｏ  Ａｃｃｅｓｓ  Ｎｅｔｗｏｒｋ、ＲＡＮ）を通じて、１または複数のコアネットワークと通信し得る。例えば、ユーザ機器は、携帯電話（「セルラ」電話とも称される）移動端末付きコンピュータ等であり得る。例えば、ユーザ機器は、ポータブル、ポケットサイズ、ハンドヘルド、コンピュータ内蔵型または車載型の移動体装置、将来の５Ｇネットワークにおける端末装置、将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）における端末装置等であり得る。
【００６２】
本願の実施形態において、基地局は、ＬＴＥシステムの無線アクセスネットワークにおける進化型ノードＢ（ｅｖｏｌｖｅｄ  ＮｏｄｅＢ、ｅＮＢまたはｅＮｏｄｅＢ）であり得るか、または将来の通信システムの無線アクセスネットワークにおける基地局であり得る。本願において、制限は課されない。
【００６３】
図１に示されるように、本願の実施形態におけるチャネルは、６０ＧＨｚの自由周波数帯域を分割することにより取得される、図１における番号１、２、３および４に対応する４つのチャネルであることに留意すべきである。４つのチャネルの各々の帯域幅は２．１６ＧＨｚであり、４つのチャネルに対応する中心周波数はそれぞれ、５８．３２０ＧＨｚ、６０．４８０ＧＨｚ、６２．６４０ＧＨｚおよび６４．８００ＧＨｚである。
【００６４】
図２は、本願の実施形態による適用シナリオの概略図である。図２に示されるように、基地局は、無線信号を用いることにより、複数のユーザ機器（ＵＥ１からＵＥ３）と通信する。通常、通信のために用いられる無線信号は、変調を通じて送信および受信される。変調は、単一キャリア変調およびマルチキャリア変調に分類され得る
【００６５】
図２に示される適用シナリオは、１つの基地局（隔離型基地局）が存在する事例のみを示していることに留意すべきである。しかしながら、本願において、制限は課されない。図２における通信システムは、同じ時間周波数リソースまたは異なる時間周波数リソースでサービスを送信する近接型基地局と、ユーザ機器とをさらに含み得る。各基地局のカバレッジは、別の数のユーザ機器をさらに含み得る。
【００６６】
任意選択で、図２における基地局およびユーザ機器が配置される通信システムは、ネットワークコントローラおよび移動性管理エンティティなど、他のネットワークエンティティをさらに含み得る。本願の本実施形態において、制限は課されない。
【００６７】
図３は、図２に示される適用シナリオにおける基地局およびユーザ機器の内部構造の概略図である。図３に示されるように、基地局は、アンテナまたはアンテナアレイと、デュプレクサと、送信機（Ｔｒａｎｓｍｉｔｔｅｒ、ＴＸ）と、受信機（Ｒｅｃｅｉｖｅｒ、ＲＸ）（ＴＸおよびＲＸは、送受信機ＴＲＸと総称され得る）と、ベースバンド処理ユニットとを含み得る。デュプレクサは、アンテナまたはアンテナアレイが信号の送信および受信のために用いられることを可能にするように構成される。ＴＸは、無線周波数信号とベースバンド信号との間の変換を実行するように構成される。ＴＸは通常、電力増幅器（Ｐｏｗｅｒ  Ａｍｐｌｉｆｉｅｒ、ＰＡ）と、デジタル／アナログコンバータ（Ｄｉｇｉｔａｌ−ｔｏ−Ａｎａｌｏｇ  Ｃｏｎｖｅｒｔｅｒ、ＤＡＣ）と、周波数変換器を含み得る。ＰＡは通常、特定の線形範囲内で動作する。入力信号の振幅が大幅に変わった場合、ＰＡは、非線形範囲で動作し、その結果、ＰＡの効率は低下する。ＲＸは通常、低ノイズ増幅器（Ｌｏｗ  Ｎｏｉｓｅ  Ａｍｐｌｉｆｉｅｒ、ＬＮＡ）と、アナログ／デジタルコンバータ（Ａｎａｌｏｇ−ｔｏ−Ｄｉｇｉｔａｌ  Ｃｏｎｖｅｒｔｅｒ、ＡＤＣ）と、周波数変換器とを含み得る。ベースバンド処理ユニットは、レイヤマッピング、プリコーディング、変調／復調または符号化／復号化など、送信予定または受信予定の信号の処理を実行し、物理制御チャンネル、物理データチャネル、物理ブロードキャストチャネル、基準信号等に対する別個の処理を実行するように構成される。
【００６８】
一例において、基地局は、制御部をさらに含み得る。制御部は、マルチユーザスケジューリング、リソース割り当て、パイロットスケジューリング、ユーザ物理層パラメータ構成等を実行するように構成される。
【００６９】
ＵＥは、アンテナと、デュプレクサと、ＴＸと、ＲＸ（ＴＸおよびＲＸは、送受信機ＴＲＸと総称され得る）と、ベースバンド処理ユニットとを含み得る。図３に示されるように、ＵＥは、単一のアンテナを有する。ＵＥは、代替的に、複数のアンテナ（すなわち、アンテナアレイ）を有し得ることが理解されるべきである。デュプレクサは、アンテナまたはアンテナアレイが信号の送信および受信のために用いられることを可能にする。ＴＸは、無線周波数信号とベースバンド信号との間の変換を実行するように構成される。ＴＸは通常、ＰＡと、ＤＡＣと、周波数変換器とを含み得る。電力はバッテリを用いることによりＵＥ側に供給されるのでＵＥは、ＰＡの電力増幅効率に対する感度がより高くなる。ＲＸは通常、ＬＮＡと、ＡＤＣと、周波数変換器とを含み得る。ベースバンド処理ユニットは、レイヤマッピング、プリコーディング、変調／復調または符号化／復号化など、送信予定または受信予定の信号の処理を実行し、物理制御チャンネル、物理データチャネル、物理ブロードキャストチャネル、基準信号等に対する別個の処理を実行するように構成される。
【００７０】
一例において、ＵＥは、制御部をさらに含み得る。制御部は、アップリンク物理リソースの要求、ダウンリンクチャネルに対応するチャネル状態情報（Ｃｈａｎｎｅｌ  Ｓｔａｔｅ  Ｉｎｆｏｒｍａｔｉｏｎ、ＣＳＩ）の計算、ダウンリンクデータパケットが成功裏に受信されたかどうかの判断等をするように構成される。
【００７１】
本願の実施形態についての理解を容易にするために、複数の低次変調信号を組み合わせて高次変調信号にする原理が、ここでまず説明される。図４に示されるように、以下の例が用いられる。この例において、低次変調信号は二位相シフトキーイング（Ｂｉｎａｒｙ  Ｐｈａｓｅ  Ｓｈｉｆｔ  Ｋｅｙｉｎｇ、ＢＰＳＫ）信号であり、高次変調信号は４位相シフトキーイング（Ｑｕａｄｒａｔｕｒｅ  Ｐｈａｓｅ  Ｓｈｉｆｔ  Ｋｅｙｉｎｇ、ＱＰＳＫ）信号である。１つのＱＰＳＫ信号が分割され、２つのＢＰＳＫ信号の組み合わせになり得る。ＱＰＳＫ信号の値は、以下のとおり、つまり、
【数７８】
2019526198.tif 000080
、
【数７９】
2019526198.tif 000081
、
【数８０】
2019526198.tif 000082
、
【数８１】
2019526198.tif 000083
であり得ることが図４から分かり得る。ＱＰＳＫ信号
【数８２】
2019526198.tif 000084
は、２つのＢＰＳＫ信号
【数８３】
2019526198.tif 000085
および
【数８４】
2019526198.tif 000086
の組み合わせとみなされ得る。
【数８５】
2019526198.tif 000087
および
【数８６】
2019526198.tif 000088
の値は、｛１，  −１｝である。特定の組み合わせ方式が、
【数８７】
2019526198.tif 000089
と表現される。
【数８８】
2019526198.tif 000090
および
【数８９】
2019526198.tif 000091
の値は、表１に示される。
【表１】
2019526198.tif 000092
【００７２】
次に、チャネルアグリゲーション（Ｃｈａｎｎｅｌ  Ａｇｇｒｅｇａｔｉｏｎ）を実装する原理が説明される。図５に示されるように、３つのチャネル（チャネル１、２および３）が例として用いられる。送信側デバイスは、信号を送信する場合、各チャネル上の信号を符号化および変調し、次に、この信号を対応するキャリア信号
【数９０】
2019526198.tif 000093
で乗算して、各チャネルに対応する無線周波数信号を取得する。ここで、ｎ＝１，  ２，  ３，であり、
【数９１】
2019526198.tif 000094
はチャネルの中心周波数である。送信側デバイスは、異なるチャネルからの無線周波数信号を重畳し、次に、重畳された信号を送信する。
【００７３】
図６は、本願の実施形態によるマルチチャネルベースの信号送信の方法１００の概略的なフローチャートである。方法は、送信側デバイスにより実行され得る。送信側デバイスは、前述の説明における基地局またはユーザ機器であり得る。図６に示されるように、方法１００は、以下の段階を含む。
【００７４】
Ｓ１１０：送信側デバイスが低次変調シンボルのＮ個のグループを組み合わせて高次変調シンボルのＮ個のグループにする。
【００７５】
具体的には、高次変調シンボルの各グループにおけるｉ番目の高次変調シンボルは、低次変調シンボルのＮ個のグループの全てにおけるｉ番目の低次変調シンボルを組み合わせることにより取得され、低次変調シンボルの各グループは、Ｍ個の低次変調シンボルｉ＝１，  ２，  …，  Ｍを含み、Ｎは１よりも大きい正の整数であり、Ｍは１よりも大きい正の整数である。
【００７６】
Ｓ１２０：送信側デバイスが高次変調シンボルのＮ個のグループに基づいてＮ個の送信予定の信号を決定する。
【００７７】
Ｓ１３０：送信側デバイスがＮ個のチャネルを用いることによりＮ個の送信予定の信号を送信する。
【００７８】
具体的には、Ｓ１３０において、送信側デバイスは、Ｎ個のチャネルにおけるｋ番目のチャネルを用いることにより、Ｎ個の送信予定の信号におけるｋ番目の送信予定の信号を受信側デバイスへ送信する。ｋ＝１，  ２，  …，  Ｎである。
【００７９】
本願の本実施形態によるマルチチャネルベースの信号送信の方法を詳細に説明するために、以下では、Ｎの値が２である例を用いる。本実施形態を説明するプロセスにおいて、変調シンボルは、「変調信号」と同じ意味を有する。図７に示されるように、送信側デバイスは、チャネル１およびチャネル２を用いることにより、データを受信側デバイスへ送信する。送信側デバイスにより送信予定の低次変調信号は、
【数９２】
2019526198.tif 000095
および
【数９３】
2019526198.tif 000096
と表現される。ｎ＝０，  １，  …，  Ｍ−１である場合、
【数９４】
2019526198.tif 000097
は低次変調信号のグループと理解され得、
【数９５】
2019526198.tif 000098
は低次変調信号の別のグループと理解され得る。送信側デバイスは、ガードインターバルを形成するガード信号が
【数９６】
2019526198.tif 000099
および
【数９７】
2019526198.tif 000100
であることを決定する。Ｎ＝０，  １，  …，  Ｇ−１である場合、
【数９８】
2019526198.tif 000101
はガード信号のグループと理解され得、
【数９９】
2019526198.tif 000102
はガード信号の別のグループと理解され得る。
【００８０】
低次変調信号が組み合わされて高次変調信号になる場合、行列Ｑが低次変調信号
【数１００】
2019526198.tif 000103
および
【数１０１】
2019526198.tif 000104
を含む行列により乗算されて、高次変調信号
【数１０２】
2019526198.tif 000105
および
【数１０３】
2019526198.tif 000106
が取得される。行列Ｑは、
【数１０４】
2019526198.tif 000107
と表現され得る。
【００８１】
従って、
【数１０５】
2019526198.tif 000108
かつ
【数１０６】
2019526198.tif 000109
である。
【数１０７】
2019526198.tif 000110
は高次変調信号のグループと理解され得、
【数１０８】
2019526198.tif 000111
は高次変調信号の別のグループと理解され得る。任意選択で、送信側デバイスおよび受信側デバイスが行列Ｑの特定の形式に関して事前に合意し得るか、または送信側デバイスが明示的な指示を通じて行列Ｑの特定の形式を受信側デバイスに通知する。
【００８２】
【数１０９】
2019526198.tif 000112
により形成されてガードインターバル（Ｇｕａｒｄ  Ｉｎｔｅｒｖａｌ、ＧＩ）として用いられるシーケンスが、
【数１１０】
2019526198.tif 000113
により形成されるシーケンスの後の位置に挿入されて、第１のデジタル信号が形成される。第１のデジタル信号に対してフィルタリング処理およびデジタル／アナログ変換処理が実行されて、第１のアナログ信号が取得される。第１のアナログ信号がチャネル１の中心周波数に対応するキャリア信号により乗算されて、第１の無線周波数信号が取得される。
【数１１１】
2019526198.tif 000114
により形成されてガードインターバルＧＩとして用いられるシーケンスが、
【数１１２】
2019526198.tif 000115
により形成されるシーケンスの後の位置に挿入されて、第２のデジタル信号が形成される。第２のデジタル信号に対してフィルタリング処理およびデジタル／アナログ変換処理が実行されて、第２のアナログ信号が取得される。第２のアナログ信号がチャネル２の中心周波数に対応するキャリア信号により乗算されて、第２の無線周波数信号が取得される。次に、チャネル１を用いることにより第１の無線周波数信号が送信され、チャネル２を用いることにより第２の無線周波数信号が送信される。
【００８３】
任意選択で、一例において、第１の無線周波数信号および第２の無線周波数信号が送信される場合、第１の無線周波数信号および第２の無線周波数信号に対して重畳処理が実行されて、送信予定の無線周波数信号が取得され得、送信予定の無線周波数信号が送信される。
【００８４】
任意選択で、別の例において、図８に示されるように、前述の説明における高次変調信号が送信される前に、当該信号に対して位相シフト処理が実行される。位相シフト因子は
【数１１３】
2019526198.tif 000116
である。従って、
【数１１４】
2019526198.tif 000117
かつ
【数１１５】
2019526198.tif 000118
である。位相シフト処理は、対応するガード信号に対しても実行される。位相シフト因子は
【数１１６】
2019526198.tif 000119
である。従って、ガード信号はそれぞれ、
【数１１７】
2019526198.tif 000120
および
【数１１８】
2019526198.tif 000121
に変更される。
【００８５】
任意の一例において、
【数１１９】
2019526198.tif 000122
、つまり、チャネル１およびチャネル２を用いることにより信号送信が実行される場合、同じガードインターバルが高次変調信号の後の位置に挿入される。
【００８６】
異なる低次変調信号および異なる高次変調信号に対応する場合、
【数１２０】
2019526198.tif 000123
と、
【数１２１】
2019526198.tif 000124
と、
【数１２２】
2019526198.tif 000125
と、
【数１２３】
2019526198.tif 000126
とが異なる値を有することが理解され得る。  具体的には、低次変調信号がＢＰＳＫ信号であり、高次変調信号がＱＰＳＫ信号である場合、または、低次変調信号がπ／２  ＢＰＳＫ信号であり、高次変調信号がπ／２  ＱＰＳＫ信号である場合、行列Ｑは具体的には、
【数１２４】
2019526198.tif 000127
、
【数１２５】
2019526198.tif 000128
、
【数１２６】
2019526198.tif 000129
、
【数１２７】
2019526198.tif 000130
、
【数１２８】
2019526198.tif 000131
、
【数１２９】
2019526198.tif 000132
、
【数１３０】
2019526198.tif 000133
、
【数１３１】
2019526198.tif 000134
、
【数１３２】
2019526198.tif 000135
、
【数１３３】
2019526198.tif 000136
、
【数１３４】
2019526198.tif 000137
、
【数１３５】
2019526198.tif 000138
、
【数１３６】
2019526198.tif 000139
、
【数１３７】
2019526198.tif 000140
、
【数１３８】
2019526198.tif 000141
および
【数１３９】
2019526198.tif 000142
という行列のうちの１つであり得る。
【００８７】
低次変調信号がＱＰＳＫ信号であり、高次変調信号が１６直交振幅変調（Ｑｕａｄｒａｔｕｒｅ  Ａｍｐｌｉｔｕｄｅ  Ｍｏｄｕｌａｔｉｏｎ、ＱＡＭ）信号である場合、または、低次変調信号がπ／２  ＱＰＳＫ信号であり、高次変調信号がπ／２  １６ＱＡＭ信号である場合、行列Ｑは具体的には、
【数１４０】
2019526198.tif 000143
、
【数１４１】
2019526198.tif 000144
、
【数１４２】
2019526198.tif 000145
、
【数１４３】
2019526198.tif 000146
、
【数１４４】
2019526198.tif 000147
、
【数１４５】
2019526198.tif 000148
、
【数１４６】
2019526198.tif 000149
、
【数１４７】
2019526198.tif 000150
、
【数１４８】
2019526198.tif 000151
、
【数１４９】
2019526198.tif 000152
、
【数１５０】
2019526198.tif 000153
、
【数１５１】
2019526198.tif 000154
、
【数１５２】
2019526198.tif 000155
、
【数１５３】
2019526198.tif 000156
、
【数１５４】
2019526198.tif 000157
および
【数１５５】
2019526198.tif 000158
という行列のうちの１つであり得る。
【００８８】
低次変調信号がＱＰＳＫ信号であり、高次変調信号が１６振幅位相シフトキーイング（Ａｍｐｌｉｔｕｄｅ  Ｐｈａｓｅ  Ｓｈｉｆｔ  Ｋｅｙｉｎｇ、ＡＰＳＫ）信号である場合、または、低次変調信号がπ／２  ＱＰＳＫ信号であり、高次変調信号がπ／２  １６ＡＰＳＫ信号である場合、行列Ｑは、
【数１５６】
2019526198.tif 000159
、
【数１５７】
2019526198.tif 000160
、
【数１５８】
2019526198.tif 000161
、
【数１５９】
2019526198.tif 000162
、
【数１６０】
2019526198.tif 000163
、
【数１６１】
2019526198.tif 000164
、
【数１６２】
2019526198.tif 000165
、
【数１６３】
2019526198.tif 000166
、
【数１６４】
2019526198.tif 000167
、
【数１６５】
2019526198.tif 000168
、
【数１６６】
2019526198.tif 000169
、
【数１６７】
2019526198.tif 000170
、
【数１６８】
2019526198.tif 000171
、
【数１６９】
2019526198.tif 000172
、
【数１７０】
2019526198.tif 000173
および
【数１７１】
2019526198.tif 000174
という行列のうちの１つであり得る。
【００８９】
低次変調信号がＱＰＳＫ信号であり、高次変調信号が１６ＡＰＳＫ信号である場合、または、低次変調信号がπ／２  ＱＰＳＫ信号であり、高次変調信号がπ／２  １６ＡＰＳＫ信号である場合、行列Ｑは、
【数１７２】
2019526198.tif 000175
、
【数１７３】
2019526198.tif 000176
、
【数１７４】
2019526198.tif 000177
、
【数１７５】
2019526198.tif 000178
、
【数１７６】
2019526198.tif 000179
、
【数１７７】
2019526198.tif 000180
、
【数１７８】
2019526198.tif 000181
、
【数１７９】
2019526198.tif 000182
、
【数１８０】
2019526198.tif 000183
、
【数１８１】
2019526198.tif 000184
、
【数１８２】
2019526198.tif 000185
、
【数１８３】
2019526198.tif 000186
、
【数１８４】
2019526198.tif 000187
、
【数１８５】
2019526198.tif 000188
、
【数１８６】
2019526198.tif 000189
および
【数１８７】
2019526198.tif 000190
という行列のうちの１つであり得る。
【００９０】
前述の実施形態において、任意選択で、
【数１８８】
2019526198.tif 000191
の値は、
【数１８９】
2019526198.tif 000192
、
【数１９０】
2019526198.tif 000193
、
【数１９１】
2019526198.tif 000194
および
【数１９２】
2019526198.tif 000195
という値のうちの１つである。
【００９１】
これに対応して、受信側デバイスは、送信側デバイスにより送信される無線周波数信号を受信した後、高次変調信号および高次変調信号の後のＧＩ部分に対して離散フーリエ変換（Ｄｉｓｃｒｅｔｅ  Ｆｏｕｒｉｅｒ  Ｔｒａｎｓｆｏｒｍ、ＤＦＴ）を実行して、式（１）を取得する。
【数１９３】
2019526198.tif 000196
（１）
【数１９４】
2019526198.tif 000197
および
【数１９５】
2019526198.tif 000198
はそれぞれ、チャネル１およびチャネル２のサブキャリアｎ上で受信側デバイスにより受信された周波数領域信号を表し、
【数１９６】
2019526198.tif 000199
および
【数１９７】
2019526198.tif 000200
はそれぞれ、チャネル１およびチャネル２のサブキャリアｎ上での対応する周波数領域信号応答を表し、
【数１９８】
2019526198.tif 000201
および
【数１９９】
2019526198.tif 000202
はそれぞれ、
【数２００】
2019526198.tif 000203
および
【数２０１】
2019526198.tif 000204
に対応するサブキャリアｎ上の周波数領域信号であり、
【数２０２】
2019526198.tif 000205
および
【数２０３】
2019526198.tif 000206
はそれぞれ、
【数２０４】
2019526198.tif 000207
および
【数２０５】
2019526198.tif 000208
に対応するサブキャリアｎ上の周波数領域信号であり、
【数２０６】
2019526198.tif 000209
、
【数２０７】
2019526198.tif 000210
、
【数２０８】
2019526198.tif 000211
および
【数２０９】
2019526198.tif 000212
それぞれ、式（２）から式（５）により表され、式（２）から式（５）におけるｎは、サブキャリア順序番号を表す。
【数２１０】
2019526198.tif 000213
（２）
【数２１１】
2019526198.tif 000214
（３）
【数２１２】
2019526198.tif 000215
および 
【数２１３】
2019526198.tif 000216
はそれぞれ、
【数２１４】
2019526198.tif 000217
および
【数２１５】
2019526198.tif 000218
に対応するサブキャリアｎ上の周波数領域信号である。
【数２１６】
2019526198.tif 000219
（４）
【数２１７】
2019526198.tif 000220
（５）
【００９２】
式（６）は、式（１）に対してチャネル均一化を実行することにより取得され得る。
【数２１８】
2019526198.tif 000221
（６）
【００９３】
式（６）の結果に対して逆離散フーリエ変換（Ｉｎｖｅｒｓｅ  Ｄｉｓｃｒｅｔｅ  Ｆｏｕｒｉｅｒ  Ｔｒａｎｓｆｏｒｍ、ＩＤＦＴ）が実行され、が取得される。  
【数２１９】
2019526198.tif 000222
および
【数２２０】
2019526198.tif 000223
に対して信号の組み合わせが実行され、が取得される。  詳細については、式（７）を参照されたい。
【数２２１】
2019526198.tif 000224
（７）
【００９４】
本願の本実施形態において、任意選択で、ガード信号
【数２２２】
2019526198.tif 000225
および
【数２２３】
2019526198.tif 000226
は、組み合わされてガード信号
【数２２４】
2019526198.tif 000227
および
【数２２５】
2019526198.tif 000228
になる。  特定の実装形態は、前述の説明と同様である、つまり、行列Ｑは、ガード信号
【数２２６】
2019526198.tif 000229
および
【数２２７】
2019526198.tif 000230
により乗算される。  詳細については、式（８）を参照されたい。
【数２２８】
2019526198.tif 000231
（８）
【００９５】
これに対応して、信号を送信する場合、送信側デバイスは、
【数２２９】
2019526198.tif 000232
により形成されてＧＩとして用いられるシーケンスを
【数２３０】
2019526198.tif 000233
により形成されるシーケンスの後の位置に挿入して、第１のデジタル信号を形成し、第１のデジタル信号に対してフィルタリング処理およびデジタル／アナログ変換処理を実行して、第１のアナログ信号を取得し、第１のアナログ信号をチャネル１の中心周波数に対応するキャリア信号
【数２３１】
2019526198.tif 000234
により乗算して、第１の無線周波数信号を取得する。送信側デバイスは、
【数２３２】
2019526198.tif 000235
により形成されてＧＩとして用いられるシーケンスを
【数２３３】
2019526198.tif 000236
により形成されるシーケンスの後の位置に挿入して、第２のデジタル信号を形成し、第２のデジタル信号に対してフィルタリング処理およびデジタル／アナログ変換処理を実行して、第２のアナログ信号を取得し、第２のアナログ信号をチャネル２の中心周波数に対応するキャリア信号
【数２３４】
2019526198.tif 000237
により乗算して、第２の無線周波数信号を取得する。送信側デバイスは、チャネル１を用いることにより第１の無線周波数信号を送信し、チャネル２を用いることにより第２の無線周波数信号を送信する。
【００９６】
さらに、受信側デバイスは、送信側デバイスにより送信された無線周波数信号を受信した後、高次変調信号と高次変調信号の後のＧＩ部分とに対してＤＦＴを実行して、式（９）を取得する。
【数２３５】
2019526198.tif 000238
（９）
【００９７】
式（１０）は、式（９）に対してチャネル均一化を実行することにより取得され得る。
【数２３６】
2019526198.tif 000239
（１０）
【００９８】
周波数領域において
【数２３７】
2019526198.tif 000240
を用いることにより、
【数２３８】
2019526198.tif 000241
、
【数２３９】
2019526198.tif 000242
、
【数２４０】
2019526198.tif 000243
および
【数２４１】
2019526198.tif 000244
を共に計算し得る。
【数２４２】
2019526198.tif 000245
および
【数２４３】
2019526198.tif 000246
はそれぞれ、
【数２４４】
2019526198.tif 000247
および
【数２４５】
2019526198.tif 000248
に対応する周波数領域信号であり、
【数２４６】
2019526198.tif 000249
および
【数２４７】
2019526198.tif 000250
はそれぞれ、
【数２４８】
2019526198.tif 000251
および
【数２４９】
2019526198.tif 000252
に対応する周波数領域信号であり、
【数２５０】
2019526198.tif 000253
、
【数２５１】
2019526198.tif 000254
、
【数２５２】
2019526198.tif 000255
および
【数２５３】
2019526198.tif 000256
はそれぞれ、式（１１）から式（１４）により表される。
【数２５４】
2019526198.tif 000257
（１１）
【数２５５】
2019526198.tif 000258
（１２）
【数２５６】
2019526198.tif 000259
（１３）
【数２５７】
2019526198.tif 000260
（１４）
【００９９】
均一化を通じて取得された周波数領域信号
【数２５８】
2019526198.tif 000261
および
【数２５９】
2019526198.tif 000262
に対してＩＤＦＴが実行され、
【数２６０】
2019526198.tif 000263
、
【数２６１】
2019526198.tif 000264
、
【数２６２】
2019526198.tif 000265
および
【数２６３】
2019526198.tif 000266
が取得される。
【数２６４】
2019526198.tif 000267
および
【数２６５】
2019526198.tif 000268
の各々の第１のＭ個の信号が取られ、
【数２６６】
2019526198.tif 000269
および
【数２６７】
2019526198.tif 000270
が取得される。
【０１００】
任意選択で、前述の任意の実施形態において、ガードシーケンスにより形成されたガードインターバルは、
【数２６８】
2019526198.tif 000271
により形成されたシーケンスおよび
【数２６９】
2019526198.tif 000272
により形成されたシーケンスの各々の前の位置に挿入される。さらに、ガードシーケンスは、前述の実施形態における方法を用いることにより組み合わされて、組み合わされたガードシーケンスが取得され得る。組み合わされたガードシーケンスの各グループは、ガードインターバルを形成する。さらに、
【数２７０】
2019526198.tif 000273
により形成されたシーケンスおよび
【数２７１】
2019526198.tif 000274
により形成されたシーケンスの前の位置に挿入されるガードインターバルは同じである。従って、信号送信プロセスにおけるマルチパス干渉が低減され得る。
【０１０１】
本願の本実施形態において、任意選択で、Ｎの値が３であり、低次変調信号がＱＰＳＫ信号であり、高次変調信号が６４ＱＡＭ信号である場合、行列Ｑは、
【数２７２】
2019526198.tif 000275
、
【数２７３】
2019526198.tif 000276
、
【数２７４】
2019526198.tif 000277
および
【数２７５】
2019526198.tif 000278
という行列のうちの１つであり得る。
【０１０２】
本願の本実施形態において、任意選択で、図９に示されるように、送信側デバイスが２つのチャネル（チャネル１およびチャネル２）を用いることにより信号を送信する場合、送信予定の信号は、
【数２７６】
2019526198.tif 000279
，  
【数２７７】
2019526198.tif 000280
，  …，  
【数２７８】
2019526198.tif 000281
であるものと仮定する。Ｍ個の信号は、シーケンス
【数２７９】
2019526198.tif 000282
およびシーケンス
【数２８０】
2019526198.tif 000283
を形成する。信号
【数２８１】
2019526198.tif 000284
，  
【数２８２】
2019526198.tif 000285
，  …，  
【数２８３】
2019526198.tif 000286
ならびに信号
【数２８４】
2019526198.tif 000287
, 
【数２８５】
2019526198.tif 000288
，  …，  
【数２８６】
2019526198.tif 000289
が、ガードインターバルを満たすために用いられる４つのシーケンスを形成することが知られている。これら４つのシーケンスはそれぞれ、
【数２８７】
2019526198.tif 000290
、
【数２８８】
2019526198.tif 000291
および
【数２８９】
2019526198.tif 000292
である。
【０１０３】
送信側デバイスによりチャネル１で送信される信号は、
【数２９０】
2019526198.tif 000293
、
【数２９１】
2019526198.tif 000294
および
【数２９２】
2019526198.tif 000295
というシーケンスを用いることにより形成される。さらに、図９に示されるように、
【数２９３】
2019526198.tif 000296
はこの信号の前の位置に挿入され、
【数２９４】
2019526198.tif 000297
は信号
【数２９５】
2019526198.tif 000298
の後の位置に挿入される。送信側デバイスによりチャネル２で送信される信号
【数２９６】
2019526198.tif 000299
は、
【数２９７】
2019526198.tif 000300
、
【数２９８】
2019526198.tif 000301
および
【数２９９】
2019526198.tif 000302
というシーケンスを用いることにより形成される。さらに、図９に示されるように、
【数３００】
2019526198.tif 000303
は信号
【数３０１】
2019526198.tif 000304
の前の位置に挿入され、
【数３０２】
2019526198.tif 000305
は、信号
【数３０３】
2019526198.tif 000306
の後の位置に挿入される。従って、マルチパス干渉がさらに低減され得る。
【０１０４】
これに対応して、受信側デバイスは、チャネル１およびチャネル２を用いることにより送信される信号を受信した後に、チャネル１上の受信した信号
【数３０４】
2019526198.tif 000307
およびチャネル２上の受信した信号
【数３０５】
2019526198.tif 000308
に対してＤＦＴを実行して、式（１５）において示される周波数領域信号を取得する。
【数３０６】
2019526198.tif 000309
（１５）
【数３０７】
2019526198.tif 000310
および
【数３０８】
2019526198.tif 000311
はそれぞれ、チャネル１およびチャネル２のサブキャリアｎ上で受信側デバイスにより受信される周波数領域信号を表し、
【数３０９】
2019526198.tif 000312
および
【数３１０】
2019526198.tif 000313
はそれぞれ、チャネル１およびチャネル２のサブキャリアｎ上の対応する周波数領域信号応答を表し、
【数３１１】
2019526198.tif 000314
および
【数３１２】
2019526198.tif 000315
はそれぞれ、
【数３１３】
2019526198.tif 000316
および
【数３１４】
2019526198.tif 000317
に対応するサブキャリアｎ上の周波数領域信号であり、Ｎは、サブキャリア順序番号であり、ｎ＝０，  １，  …，  （Ｇ＋Ｅ＋Ｍ−１）である。
【０１０５】
次に、受信側デバイスは、受信した信号
【数３１５】
2019526198.tif 000318
および
【数３１６】
2019526198.tif 000319
に対して最大比での組み合わせを実行して
【数３１７】
2019526198.tif 000320
を取得すると共に、
【数３１８】
2019526198.tif 000321
を時間領域に変換して
【数３１９】
2019526198.tif 000322
、
【数３２０】
2019526198.tif 000323
および
【数３２１】
2019526198.tif 000324
を取得する。
【０１０６】
本願の本実施形態において、任意選択で、図１０に示されるように、送信側デバイスが２つのチャネル（チャネル１およびチャネル２）を用いることにより信号を送信する場合、送信予定の信号は
【数３２２】
2019526198.tif 000325
，  
【数３２３】
2019526198.tif 000326
，  …，  
【数３２４】
2019526198.tif 000327
であるものと仮定する。Ｍ個の信号は、シーケンス
【数３２５】
2019526198.tif 000328
およびシーケンス
【数３２６】
2019526198.tif 000329
を形式する。  信号
【数３２７】
2019526198.tif 000330
，  
【数３２８】
2019526198.tif 000331
，  …，  
【数３２９】
2019526198.tif 000332
ならびに信号
【数３３０】
2019526198.tif 000333
，  
【数３３１】
2019526198.tif 000334
，  …，  
【数３３２】
2019526198.tif 000335
が、ガードインターバルを満たすために用いられる４つのシーケンスを形成することが知られている。これら４つのシーケンスはそれぞれ、
【数３３３】
2019526198.tif 000336
、
【数３３４】
2019526198.tif 000337
、
【数３３５】
2019526198.tif 000338
および
【数３３６】
2019526198.tif 000339
である。
【０１０７】
チャネル１で送信側デバイスにより送信される信号
【数３３７】
2019526198.tif 000340
は、シーケンス
【数３３８】
2019526198.tif 000341
、
【数３３９】
2019526198.tif 000342
および
【数３４０】
2019526198.tif 000343
を用いることにより形成される。さらに、図１０に示されるように、
【数３４１】
2019526198.tif 000344
は信号
【数３４２】
2019526198.tif 000345
の前の位置に挿入され、
【数３４３】
2019526198.tif 000346
は信号
【数３４４】
2019526198.tif 000347
の後の位置に挿入される。チャネル２で送信側デバイスにより送信される信号
【数３４５】
2019526198.tif 000348
は、シーケンス
【数３４６】
2019526198.tif 000349
、
【数３４７】
2019526198.tif 000350
および
【数３４８】
2019526198.tif 000351
を用いることにより形成される。さらに、図１０に示されるように、
【数３４９】
2019526198.tif 000352
は信号
【数３５０】
2019526198.tif 000353
の前の位置に挿入され、
【数３５１】
2019526198.tif 000354
は信号
【数３５２】
2019526198.tif 000355
の後の位置に挿入される。従って、マルチパス干渉がさらに低減され得る。
【０１０８】
これに対応して、受信側デバイスは、チャネル１およびチャネル２を用いることにより送信される信号を受信した後に、チャネル１上の受信した信号
【数３５３】
2019526198.tif 000356
およびチャネル２上の受信した信号
【数３５４】
2019526198.tif 000357
に対してＤＦＴを実行して、式（１６）において示される周波数領域信号を取得する。
【数３５５】
2019526198.tif 000358
（１６）
【数３５６】
2019526198.tif 000359
および
【数３５７】
2019526198.tif 000360
はそれぞれ、チャネル１およびチャネル２のサブキャリアｎ上で受信側デバイスにより受信される周波数領域信号を表し、
【数３５８】
2019526198.tif 000361
および
【数３５９】
2019526198.tif 000362
はそれぞれ、チャネル１およびチャネル２のサブキャリアｎ上の対応する周波数領域信号応答を表し、
【数３６０】
2019526198.tif 000363
および
【数３６１】
2019526198.tif 000364
はそれぞれ、
【数３６２】
2019526198.tif 000365
および
【数３６３】
2019526198.tif 000366
に対応するサブキャリアｎ上の周波数領域信号であり、Ｎは、サブキャリア順序番号であり、ｎ＝０，  １，  …，  （Ｇ＋Ｅ＋Ｍ−１）である。
【０１０９】
次に、受信側デバイスは、受信した信号
【数３６４】
2019526198.tif 000367
および
【数３６５】
2019526198.tif 000368
に対して最大比での組み合わせを実行して
【数３６６】
2019526198.tif 000369
を取得すると共に、
【数３６７】
2019526198.tif 000370
を時間領域に変換して
【数３６８】
2019526198.tif 000371
、
【数３６９】
2019526198.tif 000372
を取得する。
【０１１０】
図６から図１０を参照して、前述の記載は、本願の実施形態によるマルチチャネルベースの信号送信の方法を詳細に説明している。図１１を参照して、以下では、本願の実施形態によるマルチチャネルベースの信号送信の装置を詳細に説明する。
【０１１１】
図１１は、本願の実施形態によるマルチチャネルベースの信号送信の装置を示す。図１１に示されるように、装置１０は、処理ユニット１１と、送信ユニット１２とを含む。処理ユニット１１は、低次変調シンボルのＮ個のグループを組み合わせて高次変調シンボルのＮ個のグループにするように構成される。高次変調シンボルの各グループにおけるｉ番目の高次変調シンボルは、低次変調シンボルのＮ個のグループの全てにおけるｉ番目の低次変調シンボルを組み合わせることにより取得される。低次変調シンボルの各グループは、Ｍ個の低次変調シンボルｉ＝１，  ２，  …，  Ｍを含む。Ｎは１よりも大きい正の整数であり、Ｍは１よりも大きい正の整数である。処理ユニット１１はさらに、高次変調シンボルのＮ個のグループに基づいてＮ個の送信予定の信号を決定するように構成される。送信ユニット１２は、Ｎ個のチャネルにおけるｋ番目のチャネルを用いることにより、Ｎ個の送信予定の信号におけるｋ番目の送信予定の信号を送信するように構成される。ｋ＝１，  ２，  …，  Ｎである。
【０１１２】
従って、本願の本実施形態におけるマルチチャネルベースの信号送信の装置によれば、低次変調シンボルの複数のグループが組み合わされて高次変調シンボルの複数のグループになり、複数の送信予定の信号が高次変調シンボルの複数のグループに基づいて生成され、複数の送信予定の信号が、複数のチャネルを用いることにより送信される。このように、１つの低次変調シンボルは、複数のチャネルで送信され得、信号ダイバーシティ送信が実行され、信号送信の信頼性が改善される。
【０１１３】
本願の本実施形態において、任意選択で、低次変調シンボルのＮ個のグループを組み合わせて高次変調シンボルのＮ個のグループにする場合、処理ユニット１１は具体的には、低次変調シンボルのＮ個のグループの各々におけるｉ番目の低次変調シンボルを用いることによりｉ番目の列ベクトルを形成し、かつ、行列Ｑにおけるｓ番目の行の行ベクトルとｉ番目の列ベクトルとの積を、高次変調シンボルのＮ個のグループにおける高次変調シンボルのｓ番目のグループにおけるｉ番目の高次変調シンボルと決定するように構成される。ｓ＝１，  ２，  …，  Ｎである。
【０１１４】
本願の本実施形態において、任意選択で、高次変調シンボルのＮ個のグループに基づいてＮ個の送信予定の信号を決定する場合、処理ユニット１１は具体的には、Ｎ個の第１のガードインターバルを決定し、かつ、Ｎ個の第１のガードインターバルにおけるｔ番目の第１のガードインターバルを高次変調シンボルのＮ個のグループにおける高次変調シンボルのｔ番目のグループの後の位置に挿入して、ｔ番目の送信予定の信号を取得するように構成される。ｔ＝１，  ２，  …，  Ｎである。
【０１１５】
本願の本実施形態において、任意選択で、Ｎ個の第１のガードインターバルを決定する場合、処理ユニット１１は具体的には、第１のガード信号のＮ個のグループを決定し、かつ、第１のガード信号のＮ個のグループにおける第１のガード信号のｔ番目のグループにより形成されるシーケンスを、Ｎ個の第１のガードインターバルにおけるｔ番目の第１のガードインターバルと決定するように構成される。第１のガード信号のＮ個のグループの各々は、Ｇ個の第１のガード信号を含み、Ｇは１よりも大きい正の整数である。
【０１１６】
本願の本実施形態において、任意選択で、Ｎ個の第１のガードインターバルを決定する場合、処理ユニット１１は具体的には、第１のガード信号のＮ個のグループを決定し、第１のガード信号のＮ個のグループの各々におけるｒ番目の第１のガード信号を用いることによりｒ番目の列ベクトルを形成し、かつ、行列Ｑにおけるｓ番目の行の行ベクトルとｒ番目の列ベクトルとの積を、Ｎ個の第１のガードインターバルにおけるｓ番目の第１のガードインターバルにおけるｒ番目の第１のガード信号と決定するように構成される。第１のガード信号のＮ個のグループの各々は、Ｇ個の第１のガード信号を含み、Ｇは１よりも大きい正の整数であり、ｒ＝１，  ２，  …，  Ｇである。
【０１１７】
本願の本実施形態において、任意選択で、Ｎ個の第１のガードインターバルにおけるｔ番目の第１のガードインターバルを高次変調シンボルのＮ個のグループにおける高次変調シンボルのｔ番目のグループの後の位置に挿入して、ｔ番目の送信予定の信号を取得する場合、処理ユニット１１は具体的には、高次変調シンボルのＮ個のグループにおける高次変調シンボルのｔ番目のグループにおけるｉ番目の高次変調シンボルに対して、位相シフト因子が
【数３７０】
2019526198.tif 000373
である位相シフトを実行して、位相シフトされた高次変調シンボルのｔ番目のグループを取得し、Ｎ個の第１のガードインターバルにおけるｔ番目の第１のガードインターバルにおけるｎ番目の第１のガード信号に対して、位相シフト因子が
【数３７１】
2019526198.tif 000374
である位相シフトを実行して、ｔ番目の位相シフトされた第１のガードインターバルを取得し、かつ、ｔ番目の位相シフトされた第１のガードインターバルを位相シフトされた高次変調シンボルのｔ番目のグループの後の位置に挿入して、ｔ番目の送信予定の信号を取得するように構成され、ｎ＝１，  ２，  …，  Ｇである。
【０１１８】
本願の本実施形態において、任意選択で、処理ユニット１１はさらに、Ｎ個の第２のガードインターバルを決定するように構成される。
【０１１９】
Ｎ個の第１のガードインターバルにおけるｔ番目の第１のガードインターバルを高次変調シンボルのＮ個のグループにおける高次変調シンボルのｔ番目のグループの後の位置に挿入して、ｔ番目の送信予定の信号を取得する場合、処理ユニット１１は具体的には、Ｎ個の第２のガードインターバルにおけるｔ番目の第２のガードインターバルを高次変調シンボルのＮ個のグループにおける高次変調シンボルのｔ番目のグループの前の位置に挿入すると共に、ｔ番目の第１のガードインターバルを高次変調シンボルのｔ番目のグループの後の位置に挿入して、ｔ番目の送信予定の信号を取得するように構成される。
【０１２０】
本願の本実施形態において、任意選択で、第１のガード信号のＮ個のグループは同じである。
【０１２１】
本願の本実施形態において、任意選択で、Ｎの値は２であり、低次変調シンボルは二位相シフトキーイングＢＰＳＫシンボルであり、高次変調シンボルは４位相シフトキーイングＱＰＳＫシンボルである。
【０１２２】
本願の本実施形態において、任意選択で、行列Ｑは、
【数３７２】
2019526198.tif 000375
、
【数３７３】
2019526198.tif 000376
、
【数３７４】
2019526198.tif 000377
、
【数３７５】
2019526198.tif 000378
、
【数３７６】
2019526198.tif 000379
、
【数３７７】
2019526198.tif 000380
、
【数３７８】
2019526198.tif 000381
、
【数３７９】
2019526198.tif 000382
、
【数３８０】
2019526198.tif 000383
、
【数３８１】
2019526198.tif 000384
、
【数３８２】
2019526198.tif 000385
、
【数３８３】
2019526198.tif 000386
、
【数３８４】
2019526198.tif 000387
、
【数３８５】
2019526198.tif 000388
、
【数３８６】
2019526198.tif 000389
および
【数３８７】
2019526198.tif 000390
という行列のうちの１つである。
【０１２３】
本願の本実施形態において、任意選択で、Ｎの値は２であり、低次変調シンボルはＱＰＳＫシンボルであり、高次変調シンボルは１６直交振幅変調ＱＡＭシンボルである。
【０１２４】
本願の本実施形態において、任意選択で、行列Ｑは、
【数３８８】
2019526198.tif 000391
、
【数３８９】
2019526198.tif 000392
、
【数３９０】
2019526198.tif 000393
、
【数３９１】
2019526198.tif 000394
、
【数３９２】
2019526198.tif 000395
、
【数３９３】
2019526198.tif 000396
、
【数３９４】
2019526198.tif 000397
、
【数３９５】
2019526198.tif 000398
、
【数３９６】
2019526198.tif 000399
、
【数３９７】
2019526198.tif 000400
、
【数３９８】
2019526198.tif 000401
、
【数３９９】
2019526198.tif 000402
、
【数４００】
2019526198.tif 000403
、
【数４０１】
2019526198.tif 000404
、
【数４０２】
2019526198.tif 000405
および
【数４０３】
2019526198.tif 000406
という行列のうちの１つである。
【０１２５】
本願の本実施形態において、任意選択で、Ｎの値は２であり。低次変調シンボルはＱＰＳＫシンボルであり、高次変調シンボルは１６振幅位相シフトキーイングＡＰＳＫシンボルである。
【０１２６】
本願の本実施形態において、任意選択で、行列Ｑは、
【数４０４】
2019526198.tif 000407
、
【数４０５】
2019526198.tif 000408
、
【数４０６】
2019526198.tif 000409
、
【数４０７】
2019526198.tif 000410
、
【数４０８】
2019526198.tif 000411
、
【数４０９】
2019526198.tif 000412
、
【数４１０】
2019526198.tif 000413
、
【数４１１】
2019526198.tif 000414
、
【数４１２】
2019526198.tif 000415
、
【数４１３】
2019526198.tif 000416
、
【数４１４】
2019526198.tif 000417
、
【数４１５】
2019526198.tif 000418
、
【数４１６】
2019526198.tif 000419
、
【数４１７】
2019526198.tif 000420
、
【数４１８】
2019526198.tif 000421
および
【数４１９】
2019526198.tif 000422
という行列のうちの１つである。
【０１２７】
本願の本実施形態において、任意選択で、行列Ｑは、
【数４２０】
2019526198.tif 000423
、
【数４２１】
2019526198.tif 000424
、
【数４２２】
2019526198.tif 000425
、
【数４２３】
2019526198.tif 000426
、
【数４２４】
2019526198.tif 000427
、
【数４２５】
2019526198.tif 000428
、
【数４２６】
2019526198.tif 000429
、
【数４２７】
2019526198.tif 000430
、
【数４２８】
2019526198.tif 000431
、
【数４２９】
2019526198.tif 000432
、
【数４３０】
2019526198.tif 000433
、
【数４３１】
2019526198.tif 000434
、
【数４３２】
2019526198.tif 000435
、
【数４３３】
2019526198.tif 000436
、
【数４３４】
2019526198.tif 000437
および
【数４３５】
2019526198.tif 000438
という行列のうちの１つである。
【０１２８】
本願の本実施形態において、任意選択で、
【数４３６】
2019526198.tif 000439
の値は、
【数４３７】
2019526198.tif 000440
、
【数４３８】
2019526198.tif 000441
、
【数４３９】
2019526198.tif 000442
および
【数４４０】
2019526198.tif 000443
という値のうちの１つである。
【０１２９】
本願の本実施形態において、任意選択で、Ｎの値は３であり、低次変調シンボルはＱＰＳＫシンボルであり、高次変調シンボルは６４直交振幅変調ＱＡＭシンボルである。
【０１３０】
本願の本実施形態において、任意選択で、行列Ｑは、
【数４４１】
2019526198.tif 000444
、
【数４４２】
2019526198.tif 000445
、
【数４４３】
2019526198.tif 000446
および
【数４４４】
2019526198.tif 000447
という行列のうちの１つである。
【０１３１】
本願の本実施形態において、任意選択で、Ｎ個のチャネルの各々の帯域幅は２．１６ＧＨｚである。
【０１３２】
本願の本実施形態によるマルチチャネルベースの信号送信の装置については、本願の実施形態における対応するマルチチャネルベースの信号送信の方法の手順を参照されたい。加えて、装置におけるユニット／モジュールと、前述の他の動作および／または機能とはそれぞれ、方法における対応する手順を実行するよう意図されている。簡潔にするために、詳細はここでは再度説明しない。
【０１３３】
図１２は、本願の別の実施形態によるマルチチャネルベースの信号送信の装置の概略構造図である。図１２における装置は、図６から図１０における手順で送信側デバイスにより実行される方法を実行し得る。図１２における装置１００は、送信機１１０と、プロセッサ１２０と、メモリ１３０とを含む。プロセッサ１２０は、装置１００の動作を制御し、信号を処理するように構成され得る。メモリ１３０は、リードオンリメモリおよびランダムアクセスメモリを含み得、プロセッサ１２０のための命令およびデータを提供する。 装置１００のコンポーネントは、バスシステム１４０を用いることにより共に連結される。データバスに加え、バスシステム１４０は、電力バス、制御バスおよびステータス信号バスをさらに含む。しかしながら、説明を明確にすべく、図において。様々なバスがバスシステム１４０として示される。
【０１３４】
本願の実施形態において開示される方法は、プロセッサ１２０に適用され得るか、またはプロセッサ１２０により実行され得る。実行プロセスにおいて、方法の段階は、プロセッサ１２０内のハードウェアの集積論理回路を用いることにより、またはソフトウェア形式の命令を用いることにより、実装され得る。プロセッサ１２０は、汎用プロセッサ、デジタル信号プロセッサ、特定用途向け集積回路、フィールドプログラマブルゲートアレイもしくは別のプログラマブル論理デバイス、離散ゲート論理デバイスもしくはトランジスタ論理デバイスまたは離散ハードウェアコンポーネントであり得、本願の実施形態において開示される方法、段階および論理ブロック図を実行または実装し得る。汎用プロセッサは、マイクロプロセッサまたは任意の従来のプロセッサ等であり得る。本願の実施形態を参照して開示される方法の段階は、ハードウェアプロセッサを用いることにより直接実行され得るか、またはプロセッサ内のハードウェアとソフトウェアモジュールとの組み合わせを用いることにより実行され得る。ソフトウェアモジュールは、ランダムアクセスメモリ、フラッシュメモリ、リードオンリメモリ、プログラマブルリードオンリメモリ、電気的消去可能プログラマブルメモリまたはレジスタなど、当技術分野において成熟した記憶媒体に配置され得る。記憶媒体は、メモリ１３０内に配置される。プロセッサ１２０は、メモリ１３０内の情報を読み出し、プロセッサのハードウェアと共に前述の方法の段階を完了させる。
【０１３５】
具体的には、プロセッサ１２０は、低次変調シンボルのＮ個のグループを組み合わせて高次変調シンボルのＮ個のグループにし、高次変調シンボルのＮ個のグループに基づいてＮ個の送信予定の信号を決定するように構成される。高次変調シンボルの各グループにおけるｉ番目の高次変調シンボルは、低次変調シンボルのＮ個のグループの全てのうちのｉ番目の低次変調シンボルを組み合わせることにより取得される。低次変調シンボルの各グループは、Ｍ個の低次変調シンボルｉ＝１，  ２，  …，  Ｍを含む。Ｎは１よりも大きい正の整数であり、Ｍは１よりも大きい正の整数である。
【０１３６】
送信機１１０は、Ｎ個のチャネルのうちのｋ番目のチャネルを用いることにより、Ｎ個の送信予定の信号のうちのｋ番目の送信予定の信号を送信するように構成される。ｋ＝１，  ２，  …，  Ｎである。
【０１３７】
従って、本願の本実施形態におけるマルチチャネルベースの信号送信の装置によれば、低次変調シンボルの複数のグループが組み合わされて高次変調シンボルの複数のグループになり、複数の送信予定の信号が高次変調シンボルの複数のグループに基づいて生成され、複数の送信予定の信号は、複数のチャネルを用いることにより送信される。このように、１つの低次変調シンボルは、異なるチャネルで送信され、信号ダイバーシティ送信が実行され、信号送信の信頼性が改善される。
【０１３８】
本願の本実施形態によるマルチチャネルベースの信号送信の装置については、本願の実施形態におけるマルチチャネルベースの信号送信の方法の手順を参照されたい。加えて、装置におけるユニット／モジュールと、前述の他の動作および／または機能とはそれぞれ、方法における対応する手順を実行するよう意図されている。簡潔にするために、詳細はここでは再度説明しない。
【０１３９】
本明細書全体で言及される「一実施形態」または「実施形態」は、本実施形態に関連する特定の特徴、構造または特性が本願の少なくとも１つの実施形態に含まれる旨を意味することが理解されるべきである。従って、本明細書全体に現れる「一実施形態において」または「実施形態において」は、必ずしも同じ実施形態を示すわけではない。加えて、これらの特定の特徴、構造または特性は、任意の適切な方式を用いることにより、１または複数の実施形態において組み合わされ得る。
【０１４０】
本明細書における「および／または」という用語は、関連対象物を説明するための相関関係のみを説明しており、３つの関係が存在し得る旨を表していることが理解されるべきである。例えば、Ａおよび／またはＢは、以下の３つの事例、つまり、Ａのみが存在すること、ＡおよびＢの両方が存在すること、およびＢのみが存在することを表し得る。加えて、本明細書における「／」というシンボルは概して、関連対象物間の「または」の関係を示す。
【０１４１】
前述の処理の順序番号は、本願の様々な実施形態における実行順序を意味していないことが理解されるべきである。処理の実行順序は、処理の機能および内部論理に基づいて決定されるべきであり、本願の実施形態の実装処理に対するいかなる制限とも解釈されるべきではない。
【０１４２】
当業者であれば、本明細書において開示される実施形態と組み合わせて、方法の段階と、ユニットとは、電子ハードウェア、コンピュータソフトウェアまたはそれらの組み合わせにより実装され得ることを認識し得る。ハードウェアとソフトウェアとの間の互換性を明確に説明するために、各実施形態の段階および構成は、前述の説明において、機能に基づいて一般的に説明された。当該機能がハードウェアにより実行されるのか、またはソフトウェアにより実行されるのかは、技術的解決手段の特定の用途および設計制約条件に依存する。当業者であれば、異なる方法を用いて、特定の用途の各々のための説明された機能を実装し得るが、実装形態が本願の範囲を越えるものとみなされるべきではない。
【０１４３】
本明細書において開示される実施形態と組み合わせて、方法または段階は、ハードウェア、プロセッサにより実行されるソフトウェアプログラム、またはそれらの組み合わせにより実行され得る。ソフトウェアプログラムは、ランダムアクセスメモリ（Ｒａｎｄｏｍ  Ａｃｃｅｓｓ  Ｍｅｍｏｒｙ、ＲＡＭ）、メモリ、リードオンリメモリ（Ｒｅａｄ−Ｏｎｌｙ  Ｍｅｍｏｒｙ、ＲＯＭ）、電気的プログラマブルリードオンリメモリ（Ｅｌｅｃｔｒｉｃａｌｌｙ  Ｐｒｏｇｒａｍｍａｂｌｅ  Ｒｅａｄ−Ｏｎｌｙ  Ｍｅｍｏｒｙ、ＥＰＲＯＭ）、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、レジスタ、ハードディスク、リムーバブル磁気ディスク、コンパクトディクスリードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）または当技術分野において知られている任意の他の形式の記憶媒体に存在し得る。
【０１４４】
本願において提供されるいくつかの実施形態において、開示されるシステム、装置および方法は、他の方式で実装され得ることが理解されるべきである。例えば、説明される装置の実施形態は、例に過ぎない。例えば、ユニットの分割は、論理機能の分割に過ぎず、実際の実装における他の分割であり得る。例えば、複数のユニットまたはコンポーネントは、別のシステムに組み合わされるかまたは組み込まれてよい。または、いくつかの特徴は、無視されても実行されなくともよい。
【０１４５】
別個の部品として説明されたユニットは、物理的に分離されていてもされていなくてもよく、ユニットとして表示された部分は、物理ユニットであってもそうでなくてもよく、１か所に配置されてもよく、複数のネットワークユニットに分散されていてもよい。実施形態の解決手段の目的を実現するために、当該ユニットのいくつかまたは全てが、実際の要件に基づいて選択されてよい。
【０１４６】
加えて、本願の実施形態における機能ユニットは、１つの処理ユニットに組み込まれてもよく、当該ユニットの各々は、物理的に単独で存在してもよく、２つまたはそれよりも多くのユニットが１つのユニットに組み込まれてもよい。
【０１４７】
本願は、添付図面を参照して、かつ、実施形態と組み合わせて詳細に説明されているが、それらに限定されない。本願の本質から逸脱することなく、当業者により、本願の実施形態に対して様々な同等の修正または置換が行われ得る。これらの修正または置換は、本願の範囲に含まれるものとする。
【図１】
2019526198.tif 000598
【図２】
2019526198.tif 000599
【図３】
2019526198.tif 000600
【図４】
2019526198.tif 000601
【図５】
2019526198.tif 000602
【図６】
2019526198.tif 000603
【図７】
2019526198.tif 000604
【図８】
2019526198.tif 000605
【図９】
2019526198.tif 000606
【図１０】
2019526198.tif 000607
【図１１】
2019526198.tif 000608
【図１２】
2019526198.tif 000609
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
マルチチャネルベースの信号送信の方法であって、
低次変調シンボルのＮ個のグループを組み合わせて高次変調シンボルのＮ個のグループにする段階であって、前記高次変調シンボルのＮ個のグループの各々におけるｉ番目の高次変調シンボルは、前記低次変調シンボルのＮ個のグループの全てにおけるｉ番目の低次変調シンボルを組み合わせることにより取得され、前記低次変調シンボルのＮ個のグループの各々は、Ｍ個の低次変調シンボルｉ＝１，  ２，  …，  Ｍを含み、Ｎは１よりも大きい正の整数であり、Ｍは１よりも大きい正の整数である、段階と、
前記高次変調シンボルのＮ個のグループに基づいてＮ個の送信予定の信号を決定する段階と、
Ｎ個のチャネルにおけるｋ番目のチャネルを用いることにより、前記Ｎ個の送信予定の信号におけるｋ番目の送信予定の信号を送信する段階であって、ｋ＝１，  ２，  …，  Ｎである、段階と
を備える方法。
【請求項２】
低次変調シンボルのＮ個のグループを組み合わせて高次変調シンボルのＮ個のグループにする前記段階は、
前記低次変調シンボルのＮ個のグループの各々における前記ｉ番目の低次変調シンボルを用いることによりｉ番目の列ベクトルを形成する段階と、
行列におけるｓ番目の行の行ベクトルと前記ｉ番目の列ベクトルとの積を、前記高次変調シンボルのＮ個のグループにおける高次変調シンボルのｓ番目のグループにおけるｉ番目の高次変調シンボルと決定する段階であって、ｓ＝１，  ２，  …，  Ｎである、段階と
を有する、
請求項１に記載の方法。
【請求項３】
前記高次変調シンボルのＮ個のグループに基づいてＮ個の送信予定の信号を決定する前記段階は、
Ｎ個の第１のガードインターバルを決定する段階と、
前記Ｎ個の第１のガードインターバルにおけるｔ番目の第１のガードインターバルを前記高次変調シンボルのＮ個のグループにおける高次変調シンボルのｔ番目のグループの後の位置に挿入して、ｔ番目の送信予定の信号を取得する段階であって、ｔ＝１，  ２，  …，  Ｎである、段階と
を有する、
請求項２に記載の方法。
【請求項４】
Ｎ個の第１のガードインターバルを決定する前記段階は、
第１のガード信号のＮ個のグループを決定する段階であって、前記第１のガード信号のＮ個のグループの各々は、Ｇ個の第１のガード信号を含み、Ｇは１よりも大きい正の整数である、段階と
前記第１のガード信号のＮ個のグループにおける第１のガード信号のｔ番目のグループにより形成されるシーケンスを、前記Ｎ個の第１のガードインターバルにおける前記ｔ番目の第１のガードインターバルと決定する段階と
を含む、
請求項３に記載の方法。
【請求項５】
Ｎ個の第１のガードインターバルを決定する前記段階は、
第１のガード信号のＮ個のグループを決定する段階であって、前記第１のガード信号のＮ個のグループの各々は、Ｇ個の第１のガード信号を含み、Ｇは１よりも大きい正の整数である、段階と、
前記第１のガード信号のＮ個のグループの各々におけるｒ番目の第１のガード信号を用いることによりｒ番目の列ベクトルを形成する段階であって、ｒ＝１，  ２，  …，  Ｇである、段階と、
前記行列における前記ｓ番目の行の前記行ベクトルと前記ｒ番目の列ベクトルとの積を、前記Ｎ個の第１のガードインターバルのｓ番目の第１のガードインターバルにおけるｒ番目の第１のガード信号と決定する段階と
を含む、
請求項３に記載の方法。
【請求項６】
前記Ｎ個の第１のガードインターバルにおけるｔ番目の第１のガードインターバルを前記高次変調シンボルのＮ個のグループにおける高次変調シンボルのｔ番目のグループの後の位置に挿入して、ｔ番目の送信予定の信号を取得する前記段階は、
前記高次変調シンボルのＮ個のグループにおける前記高次変調シンボルのｔ番目のグループにおけるｉ番目の高次変調シンボルに対して、位相シフト因子が
【数４４５】
2019526198.tif 000610
である位相シフトを実行して、位相シフトされた高次変調シンボルのｔ番目のグループを取得する段階と、
前記Ｎ個の第１のガードインターバルにおける前記ｔ番目の第１のガードインターバルにおけるｎ番目の第１のガード信号に対して、位相シフト因子が
【数４４６】
2019526198.tif 000611
である位相シフトを実行して、ｔ番目の位相シフトされた第１のガードインターバルを取得する段階であって、ｎ＝１，  ２，  …，  Ｇである、段階と、
前記ｔ番目の位相シフトされた第１のガードインターバルを前記位相シフトされた高次変調シンボルのｔ番目のグループの後の位置に挿入して、前記ｔ番目の送信予定の信号を取得する段階と
を含む、
請求項３から５のいずれか一項に記載の方法。
【請求項７】
Ｎ個の第２のガードインターバルを決定する段階
をさらに備え、
前記Ｎ個の第１のガードインターバルにおけるｔ番目の第１のガードインターバルを前記高次変調シンボルのＮ個のグループにおける高次変調シンボルのｔ番目のグループの後の位置に挿入して、ｔ番目の送信予定の信号を取得する前記段階は、
前記Ｎ個の第２のガードインターバルにおけるｔ番目の第２のガードインターバルを前記高次変調シンボルのＮ個のグループにおける前記高次変調シンボルのｔ番目のグループの前の位置に挿入すると共に、前記ｔ番目の第１のガードインターバルを前記高次変調シンボルのｔ番目のグループの後の前記位置に挿入して、前記ｔ番目の送信予定の信号を取得する段階
を含む、
請求項３から５のいずれか一項に記載の方法。
【請求項８】
前記第１のガード信号のＮ個のグループは同じである、
請求項４または５に記載の方法。
【請求項９】
Ｎの値は２であり、前記低次変調シンボルは二位相シフトキーイング（ＢＰＳＫ）シンボルであり、前記高次変調シンボルは４位相シフトキーイング（ＱＰＳＫ）シンボルである、
請求項２から５のいずれか一項に記載の方法。
【請求項１０】
前記行列は、
【数４４７】
2019526198.tif 000612
、
【数４４８】
2019526198.tif 000613
、
【数４４９】
2019526198.tif 000614
、
【数４５０】
2019526198.tif 000615
、
【数４５１】
2019526198.tif 000616
、
【数４５２】
2019526198.tif 000617
、
【数４５３】
2019526198.tif 000618
、
【数４５４】
2019526198.tif 000619
、
【数４５５】
2019526198.tif 000620
、
【数４５６】
2019526198.tif 000621
、
【数４５７】
2019526198.tif 000622
、
【数４５８】
2019526198.tif 000623
、
【数４５９】
2019526198.tif 000624
、
【数４６０】
2019526198.tif 000625
、
【数４６１】
2019526198.tif 000626
および
【数４６２】
2019526198.tif 000627
という行列のうちの１つである、
請求項２から５のいずれか一項に記載の方法。
【請求項１１】
Ｎの値は２であり、前記低次変調シンボルはＱＰＳＫシンボルであり、前記高次変調シンボルは１６直交振幅変調（ＱＡＭシンボル）である、
請求項２から５のいずれか一項に記載の方法。
【請求項１２】
前記行列は、
【数４６３】
2019526198.tif 000628
、
【数４６４】
2019526198.tif 000629
、
【数４６５】
2019526198.tif 000630
、
【数４６６】
2019526198.tif 000631
、
【数４６７】
2019526198.tif 000632
、
【数４６８】
2019526198.tif 000633
、
【数４６９】
2019526198.tif 000634
、
【数４７０】
2019526198.tif 000635
、
【数４７１】
2019526198.tif 000636
、
【数４７２】
2019526198.tif 000637
、
【数４７３】
2019526198.tif 000638
、
【数４７４】
2019526198.tif 000639
、
【数４７５】
2019526198.tif 000640
、
【数４７６】
2019526198.tif 000641
、
【数４７７】
2019526198.tif 000642
および
【数４７８】
2019526198.tif 000643
という行列のうちの１つである、
請求項２から５のいずれか一項に記載の方法。
【請求項１３】
Ｎの値は２であり、前記低次変調シンボルはＱＰＳＫシンボルであり、前記高次変調シンボルは１６振幅位相シフトキーイング（ＡＰＳＫ）シンボルである、
請求項２から５のいずれか一項に記載の方法。
【請求項１４】
前記行列は、
【数４７９】
2019526198.tif 000644
、
【数４８０】
2019526198.tif 000645
、
【数４８１】
2019526198.tif 000646
、
【数４８２】
2019526198.tif 000647
、
【数４８３】
2019526198.tif 000648
、
【数４８４】
2019526198.tif 000649
、
【数４８５】
2019526198.tif 000650
、
【数４８６】
2019526198.tif 000651
、
【数４８７】
2019526198.tif 000652
、
【数４８８】
2019526198.tif 000653
、
【数４８９】
2019526198.tif 000654
、
【数４９０】
2019526198.tif 000655
、
【数４９１】
2019526198.tif 000656
、
【数４９２】
2019526198.tif 000657
、
【数４９３】
2019526198.tif 000658
および
【数４９４】
2019526198.tif 000659
という行列のうちの１つである、
請求項２から５のいずれか一項に記載の方法。
【請求項１５】
前記行列は、
【数４９５】
2019526198.tif 000660
、
【数４９６】
2019526198.tif 000661
、
【数４９７】
2019526198.tif 000662
、
【数４９８】
2019526198.tif 000663
、
【数４９９】
2019526198.tif 000664
、
【数５００】
2019526198.tif 000665
、
【数５０１】
2019526198.tif 000666
、
【数５０２】
2019526198.tif 000667
、
【数５０３】
2019526198.tif 000668
、
【数５０４】
2019526198.tif 000669
、
【数５０５】
2019526198.tif 000670
、
【数５０６】
2019526198.tif 000671
、
【数５０７】
2019526198.tif 000672
、
【数５０８】
2019526198.tif 000673
、
【数５０９】
2019526198.tif 000674
および
【数５１０】
2019526198.tif 000675
という行列のうちの１つである、
請求項２から５のいずれか一項に記載の方法。
【請求項１６】
【数５１１】
2019526198.tif 000676
の値は、
【数５１２】
2019526198.tif 000677
、
【数５１３】
2019526198.tif 000678
、
【数５１４】
2019526198.tif 000679
および
【数５１５】
2019526198.tif 000680
という値のうちの１つである、
請求項１４または１５に記載の方法。
【請求項１７】
Ｎの値は３であり、前記低次変調シンボルはＱＰＳＫシンボルであり、前記高次変調シンボルは６４直交振幅変調（ＱＡＭ）シンボルである、
請求項２から５のいずれか一項に記載の方法。
【請求項１８】
前記行列は、
【数５１６】
2019526198.tif 000681
、
【数５１７】
2019526198.tif 000682
、
【数５１８】
2019526198.tif 000683
および
【数５１９】
2019526198.tif 000684
という行列のうちの１つである、
請求項２から５のいずれか一項に記載の方法。
【請求項１９】
前記Ｎ個のチャネルの各々の帯域幅は２．１６ＧＨｚまたは４．３２ＧＨｚである、
請求項１から５のいずれか一項に記載の方法。
【請求項２０】
マルチチャネルベースの信号送信の装置であって、
処理ユニットと送信ユニットとを備え、
前記処理ユニットは、低次変調シンボルのＮ個のグループを組み合わせて高次変調シンボルのＮ個のグループにするように構成され、前記高次変調シンボルのＮ個のグループの各々におけるｉ番目の高次変調シンボルは、前記低次変調シンボルのＮ個のグループの全てにおけるｉ番目の低次変調シンボルを組み合わせることにより取得され、前記低次変調シンボルのＮ個のグループの各々は、Ｍ個の低次変調シンボルｉ＝１，  ２，  …，  Ｍを含み、Ｎは１よりも大きい正の整数であり、Ｍは１よりも大きい正の整数であり、
前記処理ユニットはさらに、前記高次変調シンボルのＮ個のグループに基づいてＮ個の送信予定の信号を決定するように構成され、
前記送信ユニットは、Ｎ個のチャネルにおけるｋ番目のチャネルを用いることにより、前記Ｎ個の送信予定の信号におけるｋ番目の送信予定の信号を送信するように構成され、ｋ＝１，  ２，  …，  Ｎである、
装置。
【請求項２１】
前記低次変調シンボルのＮ個のグループを組み合わせて前記高次変調シンボルのＮ個のグループにする場合、前記処理ユニットは具体的には、
前記低次変調シンボルのＮ個のグループの各々における前記ｉ番目の低次変調シンボルを用いることによりｉ番目の列ベクトルを形成し、かつ、
行列におけるｓ番目の行の行ベクトルと前記ｉ番目の列ベクトルとの積を、前記高次変調シンボルのＮ個のグループにおける高次変調シンボルのｓ番目のグループにおけるｉ番目の高次変調シンボルと決定する
ように構成され、
ｓ＝１，  ２，  …，  Ｎである、
請求項２０に記載の装置。
【請求項２２】
前記高次変調シンボルのＮ個のグループに基づいて前記Ｎ個の送信予定の信号を決定する場合、前記処理ユニットは具体的には、
Ｎ個の第１のガードインターバルを決定し、かつ、
前記Ｎ個の第１のガードインターバルにおけるｔ番目の第１のガードインターバルを前記高次変調シンボルのＮ個のグループにおける高次変調シンボルのｔ番目のグループの後の位置に挿入して、ｔ番目の送信予定の信号を取得する
ように構成され、
ｔ＝１，  ２，  …，  Ｎである、
請求項２１に記載の装置。
【請求項２３】
前記Ｎ個の第１のガードインターバルを決定する場合、前記処理ユニットは具体的には、
第１のガード信号のＮ個のグループを決定し、かつ、
前記第１のガード信号のＮ個のグループにおける第１のガード信号のｔ番目のグループにより形成されるシーケンスを、前記Ｎ個の第１のガードインターバルにおける前記ｔ番目の第１のガードインターバルと決定する
ように構成され、
前記第１のガード信号のＮ個のグループの各々は、Ｇ個の第１のガード信号を含み、Ｇは１よりも大きい正の整数である、
請求項２２に記載の装置。
【請求項２４】
前記Ｎ個の第１のガードインターバルを決定する場合、前記処理ユニットは具体的には、
第１のガード信号のＮ個のグループを決定し、
前記第１のガード信号のＮ個のグループの各々におけるｒ番目の第１のガード信号を用いることによりｒ番目の列ベクトルを形成し、かつ、
前記行列における前記ｓ番目の行の前記行ベクトルと前記ｒ番目の列ベクトルとの積を、前記Ｎ個の第１のガードインターバルのｓ番目の第１のガードインターバルにおけるｒ番目の第１のガード信号と決定する
ように構成され、
前記第１のガード信号のＮ個のグループの各々は、Ｇ個の第１のガード信号を含み、Ｇは１よりも大きい正の整数であり、
ｒ＝１，  ２，  …，  Ｇである、
請求項２２に記載の装置。
【請求項２５】
前記Ｎ個の第１のガードインターバルにおける前記ｔ番目の第１のガードインターバルを前記高次変調シンボルのＮ個のグループにおける前記高次変調シンボルのｔ番目のグループの後の前記位置に挿入して、前記ｔ番目の送信予定の信号を取得する場合、前記処理ユニットは具体的には、
前記高次変調シンボルのＮ個のグループにおける前記高次変調シンボルのｔ番目のグループにおけるｉ番目の高次変調シンボルに対して、位相シフト因子が
【数５２０】
2019526198.tif 000685
である位相シフトを実行して、位相シフトされた高次変調シンボルのｔ番目のグループを取得し、
前記Ｎ個の第１のガードインターバルにおける前記ｔ番目の第１のガードインターバルにおけるｎ番目の第１のガード信号に対して、位相シフト因子が
【数５２１】
2019526198.tif 000686
である位相シフトを実行して、ｔ番目の位相シフトされた第１のガードインターバルを取得し、かつ、
前記ｔ番目の位相シフトされた第１のガードインターバルを前記位相シフトされた高次変調シンボルのｔ番目のグループの後の位置に挿入して、前記ｔ番目の送信予定の信号を取得する
ように構成され、
ｎ＝１，  ２，  …，  Ｇである、
請求項２２から２４のいずれか一項に記載の装置。
【請求項２６】
前記処理ユニットはさらに、
Ｎ個の第２のガードインターバルを決定するように構成され、
前記Ｎ個の第１のガードインターバルにおける前記ｔ番目の第１のガードインターバルを前記高次変調シンボルのＮ個のグループにおける前記高次変調シンボルのｔ番目のグループの後の前記位置に挿入して、前記ｔ番目の送信予定の信号を取得する場合、前記処理ユニットは具体的には、
前記Ｎ個の第２のガードインターバルにおけるｔ番目の第２のガードインターバルを前記高次変調シンボルのＮ個のグループにおける前記高次変調シンボルのｔ番目のグループの前の位置に挿入すると共に、前記ｔ番目の第１のガードインターバルを前記高次変調シンボルのｔ番目のグループの後の前記位置に挿入して、前記ｔ番目の送信予定の信号を取得するように構成される、
請求項２２から２４のいずれか一項に記載の装置。
【請求項２７】
前記第１のガード信号のＮ個のグループは同じである、
請求項２３または２４に記載の装置。
【請求項２８】
Ｎの値は２であり、前記低次変調シンボルは二位相シフトキーイング（ＢＰＳＫ）シンボルであり、前記高次変調シンボルは４位相シフトキーイング（ＱＰＳＫ）シンボルである、
請求項２１から２４のいずれか一項に記載の装置。
【請求項２９】
前記行列は、
【数５２２】
2019526198.tif 000687
、
【数５２３】
2019526198.tif 000688
、
【数５２４】
2019526198.tif 000689
、
【数５２５】
2019526198.tif 000690
、
【数５２６】
2019526198.tif 000691
、
【数５２７】
2019526198.tif 000692
、
【数５２８】
2019526198.tif 000693
、
【数５２９】
2019526198.tif 000694
、
【数５３０】
2019526198.tif 000695
、
【数５３１】
2019526198.tif 000696
、
【数５３２】
2019526198.tif 000697
、
【数５３３】
2019526198.tif 000698
、
【数５３４】
2019526198.tif 000699
、
【数５３５】
2019526198.tif 000700
、
【数５３６】
2019526198.tif 000701
および
【数５３７】
2019526198.tif 000702
という行列のうちの１つである、
請求項２１から２４のいずれか一項に記載の装置。
【請求項３０】
Ｎの値は２であり、前記低次変調シンボルはＱＰＳＫシンボルであり、前記高次変調シンボルは１６直交振幅変調（ＱＡＭ）シンボルである、
請求項２１から２４のいずれか一項に記載の装置。
【請求項３１】
前記行列は、
【数５３８】
2019526198.tif 000703
、
【数５３９】
2019526198.tif 000704
、
【数５４０】
2019526198.tif 000705
、
【数５４１】
2019526198.tif 000706
、
【数５４２】
2019526198.tif 000707
、
【数５４３】
2019526198.tif 000708
、
【数５４４】
2019526198.tif 000709
、
【数５４５】
2019526198.tif 000710
、
【数５４６】
2019526198.tif 000711
、
【数５４７】
2019526198.tif 000712
、
【数５４８】
2019526198.tif 000713
、
【数５４９】
2019526198.tif 000714
、
【数５５０】
2019526198.tif 000715
、
【数５５１】
2019526198.tif 000716
、
【数５５２】
2019526198.tif 000717
および
【数５５３】
2019526198.tif 000718
という行列のうちの１つである、
請求項２１から２４のいずれか一項に記載の装置。
【請求項３２】
Ｎの値は２であり、前記低次変調シンボルはＱＰＳＫシンボルであり、前記高次変調シンボルは１６振幅位相シフトキーイング（ＡＰＳＫ）シンボルである、
請求項２１から２４のいずれか一項に記載の装置。
【請求項３３】
前記行列は、
【数５５４】
2019526198.tif 000719
、
【数５５５】
2019526198.tif 000720
、
【数５５６】
2019526198.tif 000721
、
【数５５７】
2019526198.tif 000722
、
【数５５８】
2019526198.tif 000723
、
【数５５９】
2019526198.tif 000724
、
【数５６０】
2019526198.tif 000725
、
【数５６１】
2019526198.tif 000726
、
【数５６２】
2019526198.tif 000727
、
【数５６３】
2019526198.tif 000728
、
【数５６４】
2019526198.tif 000729
、
【数５６５】
2019526198.tif 000730
、
【数５６６】
2019526198.tif 000731
、
【数５６７】
2019526198.tif 000732
、
【数５６８】
2019526198.tif 000733
および
【数５６９】
2019526198.tif 000734
という行列のうちの１つである、
請求項２１から２４のいずれか一項に記載の装置。
【請求項３４】
前記行列は、
【数５７０】
2019526198.tif 000735
、
【数５７１】
2019526198.tif 000736
、
【数５７２】
2019526198.tif 000737
、
【数５７３】
2019526198.tif 000738
、
【数５７４】
2019526198.tif 000739
、
【数５７５】
2019526198.tif 000740
、
【数５７６】
2019526198.tif 000741
、
【数５７７】
2019526198.tif 000742
、
【数５７８】
2019526198.tif 000743
、
【数５７９】
2019526198.tif 000744
、
【数５８０】
2019526198.tif 000745
、
【数５８１】
2019526198.tif 000746
、
【数５８２】
2019526198.tif 000747
、
【数５８３】
2019526198.tif 000748
、
【数５８４】
2019526198.tif 000749
および
【数５８５】
2019526198.tif 000750
という行列のうちの１つである、
請求項２１から２４のいずれか一項に記載の装置。
【請求項３５】
【数５８６】
2019526198.tif 000751
の値は、
【数５８７】
2019526198.tif 000752
、
【数５８８】
2019526198.tif 000753
、
【数５８９】
2019526198.tif 000754
および
【数５９０】
2019526198.tif 000755
という値のうちの１つである、
請求項３３または３４に記載の装置。
【請求項３６】
Ｎの値は３であり、前記低次変調シンボルはＱＰＳＫシンボルであり、前記高次変調シンボルは６４直交振幅変調（ＱＡＭ）シンボルである、
請求項２１から２４のいずれか一項に記載の装置。
【請求項３７】
前記行列は、
【数５９１】
2019526198.tif 000756
、
【数５９２】
2019526198.tif 000757
、
【数５９３】
2019526198.tif 000758
および
【数５９４】
2019526198.tif 000759
という行列のうちの１つである、
請求項２１から２４のいずれか一項に記載の装置。
【請求項３８】
前記Ｎ個のチャネルの各々の帯域幅は、２．１６ＧＨｚまたは４．３２ＧＨｚである、
請求項２０から２４のいずれか一項に記載の装置。
【手続補正２】
【補正対象書類名】明細書
【補正対象項目名】００８２
【補正方法】変更
【補正の内容】
【００８２】
【数１０９】
2019526198.tif 000760
により形成されてガードインターバル（Ｇｕａｒｄ  Ｉｎｔｅｒｖａｌ、ＧＩ）として用いられるシーケンスが、
【数１１０】
2019526198.tif 000761
により形成されるシーケンスの後の位置に挿入されて、第１のデジタル信号が形成される。第１のデジタル信号に対してフィルタリング処理およびデジタル／アナログ変換処理が実行されて、第１のアナログ信号が取得される。第１のアナログ信号がチャネル１の中心周波数に対応するキャリア信号により乗算されて、第１の無線周波数信号が取得される。
【数１１１】
2019526198.tif 000762
により形成されてガードインターバル（ＧＩ）として用いられるシーケンスが、
【数１１２】
2019526198.tif 000763
により形成されるシーケンスの後の位置に挿入されて、第２のデジタル信号が形成される。第２のデジタル信号に対してフィルタリング処理およびデジタル／アナログ変換処理が実行されて、第２のアナログ信号が取得される。第２のアナログ信号がチャネル２の中心周波数に対応するキャリア信号により乗算されて、第２の無線周波数信号が取得される。次に、チャネル１を用いることにより第１の無線周波数信号が送信され、チャネル２を用いることにより第２の無線周波数信号が送信される。
【手続補正３】
【補正対象書類名】明細書
【補正対象項目名】０１２１
【補正方法】変更
【補正の内容】
【０１２１】
本願の本実施形態において、任意選択で、Ｎの値は２であり、低次変調シンボルは二位相シフトキーイング（ＢＰＳＫ）シンボルであり、高次変調シンボルは４位相シフトキーイング（ＱＰＳＫ）シンボルである。
【手続補正４】
【補正対象書類名】明細書
【補正対象項目名】０１２５
【補正方法】変更
【補正の内容】
【０１２５】
本願の本実施形態において、任意選択で、Ｎの値は２であり。低次変調シンボルはＱＰＳＫシンボルであり、高次変調シンボルは１６振幅位相シフトキーイング（ＡＰＳＫ）シンボルである。
【国際調査報告】
2019526198.tif 000764
2019526198.tif 000765
2019526198.tif 000766
2019526198.tif 000767